(57)【要約】【課題】複数の無線制御装置に接続される無線装置の構成を、簡素化することを課題とする。【解決手段】監視装置に接続される複数の無線制御装置に接続され、前記監視装置に前期無線制御装置を介して制御及び監視される無線装置であって、前記無線制御装置との間で信号を送受信する送受信部と、複数の前記無線制御装置から、前記信号に含まれる、前記監視装置が自装置を制御及び監視する制御・監視信号を送受信する１つの無線制御装置を選択する選択部と、を備える無線装置とした。【選択図】図６
2010074594.tif 000002
【特許請求の範囲】
【請求項１】
監視装置に接続される複数の無線制御装置に接続され、前記監視装置に前期無線制御装置を介して制御及び監視される無線装置であって、
前記無線制御装置との間で信号を送受信する送受信部と、
複数の前記無線制御装置から、前記信号に含まれる、前記監視装置が自装置を制御及び監視する制御・監視信号を送受信する１つの無線制御装置を選択する選択部と、
を備える無線装置。
【請求項２】
前記無線制御装置と自装置との間の回線状態を検出する回線状態検出部をさらに備え、
前記選択部は、前記回線状態検出部が検出した回線状態に基づいて、前記無線制御装置を選択する、
請求項１に記載の無線装置。
【請求項３】
前記信号は、当該信号を送信した前記無線制御装置と自装置との間の回線状態を示す回線状態情報を含み、
前記選択部は、前記回線状態情報に基づいて、前記監視装置が自装置を制御及び監視する制御・監視信号を送受信する１つの無線制御装置を選択する、
請求項１または２に記載の無線装置。
【請求項４】
前記信号は、当該信号を送信した前記無線制御装置を、前記選択部が選択することを要求する選択要求情報を含み、
前記選択部は、前記選択要求情報に基づいて、前記監視装置が自装置を制御及び監視する制御・監視信号を送受信する１つの無線制御装置を選択する、
請求項１乃至３のいずれか１項に記載の無線装置。
【請求項５】
前記信号に含まれる前記制御・監視信号を送受信する無線制御装置の優先度情報を格納する記憶部を、さらに備え、
前記選択部は、前記記憶部に格納された前記優先度情報に従って、前記監視装置が自装置を制御及び監視する制御・監視信号を送受信する１つの無線制御装置を選択する、
請求項１乃至４のいずれか１項に記載の無線装置。
【請求項６】
自装置の状態を監視する状態監視部をさらに備え、
前記送受信部は、前記状態監視部が監視した自装置の状態に基づいて前記各無線制御装置からのデータの受信可否を判断し、当該判断に基づく前記各無線制御装置からのデータの受信可否情報を前記信号に付加して、当該信号を前記各無線制御装置に送信する、
請求項１乃至５のいずれか１項に記載の無線装置。
【請求項７】
監視装置に接続される複数の無線制御装置に接続され、前記監視装置に前期無線制御装置を介して制御及び監視される無線装置において、
前記無線装置が、前記無線制御装置との間で信号を送受信し、
前記無線装置が、複数の前記無線制御装置から、前記信号に含まれる、前記監視装置が自装置を制御及び監視する制御・監視信号を送受信する１つの無線制御装置を選択する
無線装置の制御及び監視方法。
【発明の詳細な説明】
【技術分野】
【０００１】
本件は、複数の無線制御装置に接続された無線装置に関する。
【背景技術】
【０００２】
近年の無線基地局の設置形態として、無線制御部（Radio Equipment Control（ＲＥＣ
））と無線部（Radio Equipment（ＲＥ））とが離れた場所に設置され、その間を光ファ
イバで結ぶ接続形態が、一般化している。また、ＲＥＣとＲＥとの間のインタフェース部にCommon Public Radio Interface（ＣＰＲＩ）を使用するケースが、増加している。Ｃ
ＰＲＩは、ＲＥＣとＲＥとの間のインタフェースの仕様である。
【０００３】
図１は、無線制御部（ＲＥＣ）と無線部（ＲＥ）とが離れた場所に設置される無線基地局の例を示す図である。端末（ＭＳ：Mobile Station）と直接通信するＲＥと、ＲＥを制御するＲＥＣとは、離れて設置されている。ＲＥとＲＥＣとの間は、光ファイバで接続されている。また、ＲＥとＲＥＣとの間のインタフェースは、ＣＰＲＩが使用される。ＲＥＣは、監視装置により監視される。
【０００４】
さらに、移動体通信における通信方式の世代交代時の対策として、ＲＥが複数のＲＥＣから複数のＣＰＲＩリンクを介して同時に接続され、異なる通信方式を同時に提供することが要求されている。
【０００５】
図２は、複数の無線制御部が１台の無線部に接続される例を示す図である。通信方式Ａを使用するＲＥＣと通信方式Ｂを使用するＲＥＣとが、１台のＲＥに接続される。ＲＥには、通信方式Ａを使用するＭＳ及び通信方式Ｂを使用するＭＳが接続される。監視装置は、各ＲＥＣを監視する。
【特許文献１】特表２００７−５１１９５５号公報
【非特許文献１】Ericsson AB, Huawei Technologies Co. Ltd, NEC Corporation, Nortel Networks SA and Siemens AG、“Common Public Radio Interface Specification V1.3”、平成１６年１０月１日
【非特許文献２】Ericsson AB, Huawei Technologies Co. Ltd, NEC Corporation, Nortel Networks SA and Siemens AG、“Common Public Radio Interface Specification V2.0”、平成１６年１０月１日
【発明の開示】
【発明が解決しようとする課題】
【０００６】
複数のＲＥＣとこれら複数のＲＥＣで共用が可能なＲＥで構成される無線基地局においては、ＲＥは複数のＣＰＲＩリンクを収容することが望ましい。
【０００７】
図３は、ＣＰＲＩのプロトコルスタックの例を示す図である。ＣＰＲＩのプロトコルスタックを各々のＣＰＲＩリンク毎に終端してＲＥにおける各ＣＰＲＩリンクを接続するのが望ましい。
【０００８】
図４は、複数のＣＰＲＩを収容するＲＥのブロックの例を示す図である。
【０００９】
ＲＥにおけるブロックの一般的な構成は、各々のＣＰＲＩに対してＬａｙｅｒ１乃至３の処理部を実装するものである。特に、ＲＥにおける監視・制御の処理は、ＭＰＵ及びソフトウェアにて実施されている。そのため、複数のＣＰＲＩを収容するＲＥでは、従来の１本のＣＰＲＩを収容するＲＥに比べ、監視・制御を実現する回路及びソフトウェアの規
模が増大する。
【００１０】
一方、ＲＥは地下街、駅構内やビル内部など様々な場所に設置されるため、小型、軽量、かつ、低消費電力であることが求められている。しかし、複数のＣＰＲＩを収容するＲＥにおける回路及びソフトウェア規模の増大は、小型、軽量、かつ、低消費電力であることの妨げとなる。
【００１１】
本件は、複数の無線制御装置（ＲＥＣ）に接続される無線装置（ＲＥ）の構成を、簡素化することを課題とする。
【課題を解決するための手段】
【００１２】
開示の無線装置は、上記課題を解決するために、以下の手段を採用する。
【００１３】
即ち、開示の態様は、
監視装置に接続される複数の無線制御装置に接続され、前記監視装置に前期無線制御装置を介して制御及び監視される無線装置であって、
前記無線制御装置との間で信号を送受信する送受信部と、
複数の前記無線制御装置から、前記信号に含まれる、前記監視装置が自装置を制御及び監視する制御・監視信号を送受信する１つの無線制御装置を選択する選択部と、
を備える無線装置とした。
【００１４】
開示の態様によると、複数の無線制御装置に接続された無線装置において、制御・監視信号を送受信する無線制御装置を１つ選択することができる。
【００１５】
開示の態様によれば、無線装置が制御・監視信号を送受信する無線制御装置を１つ選択することで、制御・監視信号の処理量を低減することができる。
【発明の効果】
【００１６】
開示の実施形態によれば、複数の無線制御装置に接続される無線装置の構成を、簡素化することができる。
【発明を実施するための最良の形態】
【００１７】
以下、図面を参照して実施形態について説明する。実施形態の構成は例示であり、開示の実施形態の構成に限定されない。
【００１８】
〔実施形態〕
（構成例）
〈システム構成〉
図５は、システム構成例を示す図である。
【００１９】
本実施形態のシステムは、監視装置１００、通信方式Ａを使用するRadio Equipment Control（ＲＥＣ）２００Ａ、通信方式Ｂを使用するＲＥＣ２００Ｂ、Radio Equipment（ＲＥ）３００、通信方式Ａを使用するMobile Station（ＭＳ）４００Ａ、通信方式Ｂを使用するＭＳ４００Ｂを含む。監視装置１００は、ＲＥＣ２００Ａ及びＲＥＣ２００Ｂと接続する。ＲＥＣ２００ＡとＲＥ３００との間、ＲＥＣ２００ＢとＲＥ３００との間は、それぞれCommon Public Radio Interface（ＣＲＰＩ）を使用して接続される。ＲＥ３００は
、通信方式Ａおよび通信方式Ｂによる無線機能を有する。ＲＥ３００は、通信方式Ａを使用してＭＳ４００Ａと無線接続される。ＲＥＣ３００は、通信方式Ｂを使用してＭＳ４００Ｂと接続される。ＲＥ３００は、ＣＰＲＩ選択機能およびControl and Management Plane（C & M Plane）処理部を含む。各ＲＥＣは、無線制御装置として機能しうる。ＲＥ３
００は、無線機能を有しているので、無線装置として機能しうる。
【００２０】
通信方式Ａおよび通信方式Ｂは、それぞれ任意の通信方式である。ここでは、通信方式Ａは、通信方式Ｂと異なる通信方式を想定しているが、同一の通信方式であってもよい。
【００２１】
ＲＥ３００に接続されるＲＥＣは、２台以上であってもよい。
【００２２】
監視装置１００は、ＲＥＣ２００Ａ、ＲＥＣ２００Ｂ、及び、ＲＥ３００を監視、制御する。監視装置１００からの監視、制御信号は、ＲＥＣ２００Ａ又はＲＥＣ２００Ｂを経由して、ＲＥ３００に送信される。監視装置１００は、ＲＥＣ２００Ａ又はＲＥＣ２００Ｂを介して、ＲＥ３００を監視及び制御する。監視装置１００は、制御・監視信号によりＲＥ３００を、制御、監視することができる。ＲＥ３００は、ＲＥＣ２００Ａ及びＲＥＣ２００Ｂのうちの少なくともどちらか一方を経由して、監視装置１００との間の制御・監視信号を送受信する。
【００２３】
〈ＲＥ（Radio Equipment）〉
図６は、ＲＥの構成例を示す図である。
【００２４】
ＲＥ３００は、ＣＰＲＩ処理部Ａ３１０、ＣＰＲＩ処理部Ｂ３４０、初期設定値保持部３０２、状態監視部３０４、ＣＰＲＩ状態判定／ＣＰＲＩ選択制御部３０６、ＣＰＲＩ選択部３０８、Control and Management Plane（C & M Plane）処理部３７０を有する。こ
れらの各構成要素は、ハードウェアとしても、ソフトウェアとしても実現され得る。これらの構成要素のうち２以上の構成要素が１つの機能部として機能してもよい。これらの構成要素のうちいずれか１つの構成要素が、複数の機能部として機能してもよい。以後に記載される構成要素についても同様である。
【００２５】
ＣＰＲＩ−Ａ処理部３１０は、ＲＥＣ２００ＡとＲＥ３００との間のＣＰＲＩリンクを扱う。また、ＣＰＲＩ−Ｂ処理部３４０は、ＲＥＣ２００ＢとＲＥ３００との間のＣＰＲＩリンクを扱う。
【００２６】
ＣＰＲＩ―Ａ処理部３１０は、Ｌａｙｅｒ１処理部３１２、ＣＰＲＩ回線状態検出部３１４、IQ Data処理部３２２、Vender Specific処理部３２４、High-Level Data Link Control（ＨＤＬＣ）処理部３２６、L1 Inband Protocol処理部３２８、User Plane処理部３３２、Synchronization（ＳＹＮＣ）処理部３３４を有する。ＣＰＲＩ―Ｂ処理部３４０
は、ＣＰＲＩ―Ａ処理部３１０と同様の構成を有する。
【００２７】
Ｌａｙｅｒ１処理部３１２は、ＲＥＣ２００Ａとの間のＣＰＲＩリンクの物理層（Ｌａｙｅｒ１）の終端処理を行う。
【００２８】
ＣＰＲＩ回線状態検出部３１４は、ＲＥＣ２００Ａとの間のＣＰＲＩリンクにおける物理層（Ｌａｙｅｒ１）の回線状態の検出を行う。ＣＰＲＩ回線状態検出部３１４は、Ｌａｙｅｒ２の回線状態も検出し得る。
【００２９】
ＣＰＲＩ―Ｂ処理部３４０のＬａｙｅｒ１処理部３４２、ＣＰＲＩ回線状態検出部３４４は、ＣＰＲＩ―Ａ処理部３１０の対応する処理部と同様の機能を有する。
【００３０】
IQ Data処理部３２２、Vender Specific処理部３２４、ＨＤＬＣ処理部３２６、及び、L1 Inband Protocol処理部３２８は、Layer 2の処理を行う。
【００３１】
IQ Data処理部３２２は、ＣＰＲＩ信号のBasic Frame structureに含まれるＩＱデータ
（ユーザーデータ）の抽出／挿入処理を行う。
【００３２】
Vender Specific 処理部３２４は、ＣＰＲＩ信号のBasic Frame structureに含まれるVender Specificデータ（ベンダー固有のデータ）の抽出／挿入処理を行う。Vender Specificデータは、ＣＰＲＩ選択要求の情報を含むことができる。Vender Specificデータは、ユーザデータの受信可否の情報を含むことができる。
【００３３】
ＨＤＬＣ処理部３２６は、ＣＰＲＩ信号のBasic Frame structureに含まれるＨＤＬＣ
データ（監視・制御用データ）の抽出／挿入処理を行う。
【００３４】
L1 Inband Protocol処理部３２８は、ＣＰＲＩリンクのBasic Frame structureに含ま
れるL1 Inband Protocolデータ（ベーシックフレームナンバー、回線状態情報）の抽出／挿入処理を行う。
【００３５】
ＣＰＲＩ―Ｂ処理部３４０のIQ Data処理部３５２、Vender Specific処理部３５４、ＨＤＬＣ処理部３５６、L1 Inband Protocol処理部３５８は、それぞれ、ＣＰＲＩ―Ａ処理部３１０の対応する処理部と同様の処理を行う。
【００３６】
User Plane処理部３３２、及び、ＳＹＮＣ処理部３３４は、Layer 3の処理を行う。
【００３７】
User Plane処理部３３２は、IQ Data処理部３２２で抽出されたＩＱデータ及びVender Specific処理部３２４で抽出されたVender Specificデータを基に、ＭＳ向けの信号生成
、及び、ＭＳから受信した信号からＩＱデータ及びVender Specificデータを生成する。
【００３８】
ＳＹＮＣ処理部３３４は、L1 Inband Protocol処理部３２８で抽出されたL1 Inband Protocolデータを基に、Universal Mobile Telecommunication System frame（UMTS frame
）の同期処理を行う。
【００３９】
ＣＰＲＩ―Ｂ処理部３４０のUser Plane処理部３６２、ＳＹＮＣ処理部３６４は、それぞれ、ＣＰＲＩ―Ａ処理部３１０の対応する処理部と同様の機能を有する。
【００４０】
初期設定値保持部３０２は、ＣＰＲＩリンクの使用優先度の情報を格納する。
【００４１】
状態監視部３０４は、ＲＥ３００内のＣＰＲＩ毎（通信方式毎）の無線機能部の状態（例えば、障害の有無）を監視する。無線機能部の状態には、ＲＥ３００内の各ブロックの状態、ＲＥ３００と各ＭＳとの間の回線状態等が含まれる。
【００４２】
ＣＰＲＩ状態判定／ＣＰＲＩ選択制御部３０６は、ＣＰＲＩリンクの物理層における回線状態、L1 Inband Protocolデータに含まれる回線状態情報、Vender Specificデータに
含まれるＣＰＲＩ選択要求、状態監視部３０４からの障害情報、初期設定値保持部３０２からの優先度情報から、ＣＰＲＩの選択処理を行う。また、ＣＰＲＩ状態判定／ＣＰＲＩ選択制御部３０６は、対向するＲＥＣに向けたユーザデータ受信可否通知を生成する。ＣＰＲＩの選択は、ＲＥＣの選択としてもよい。
【００４３】
ＣＰＲＩ選択部３０８は、ＣＰＲＩ状態判定／ＣＰＲＩ選択制御部３０６からの指示によりC & M Plane機能部３７０とVender Specific 処理部３３４、ＨＤＬＣ処理部３２６
、L1 Inband Protocol処理部３２８との接続パスを切替える。
【００４４】
C & M Plane処理部３７０は、ＲＥＣ４００Ａ及びＲＥＣ４００Ｂとの間の制御・監視
（C & M）信号を処理する。C & M Plane処理部３７０は、Layer 3の処理を行いうる。
【００４５】
（動作例）
〈第１の動作例〉
図７乃至図１２は、ＲＥとＲＥＣとの間の正常起動時の動作シーケンスの例を示す図である。図７のＡ１乃至Ｗ１は、図８のＡ１乃至Ｗ１に接続する。図８のＡ２乃至Ｗ２は、図９のＡ２乃至Ｗ２に接続する。図９のＡ３乃至Ｗ３は、図１０のＡ３乃至Ｗ３に接続する。図１０のＡ４乃至Ｗ４は、図１１のＡ４乃至Ｗ４に接続する。図１１のＡ５乃至Ｗ５は、図１２のＡ５乃至Ｗ５に接続する。
【００４６】
最初に、ＲＥ３００の起動時におけるシーケンス例について説明する。
【００４７】
ＲＥ３００の電源が投入される（図７：ＳＱ１００２）と、初期設定値保持部３０２は、優先度情報を、ＣＰＲＩ状態判定／ＣＰＲＩ選択制御部３０６に通知する（図７：ＳＱ１００４）。ここでは、初期設定値保持部３０２は、ＣＰＲＩ−Ａ（ＲＥ３００とＲＥＣ２００Ａとの間のＣＰＲＩ）を優先するとして、ＣＰＲＩ状態判定／ＣＰＲＩ選択制御部３０６に通知している。
【００４８】
ＲＥＣ２００Ａは、ＣＰＲＩ信号をＣＰＲＩ−Ａ処理部３１０のＬａｙｅｒ１処理部３１２に送信する（図８：ＳＱ１０１０）。
【００４９】
ＣＰＲＩ−Ａ処理部３１０のＬａｙｅｒ１処理部３１２は、ＣＰＲＩリンクの物理層（Ｌａｙｅｒ１）の終端処理を行う。Ｌａｙｅｒ１処理部３１２は、ＣＰＲＩ受信状態をＣＰＲＩ回線状態検出部３１４に通知する（図８：ＳＱ１０１２）。
【００５０】
ＣＰＲＩ回線状態検出部３１４は、Ｌａｙｅｒ１処理部３１２からの通知を基に、ＣＰＲＩ状態判定を行う（図８：ＳＱ１０１４）。ＣＰＲＩ回線状態検出部３１４は、ＣＰＲＩ状態をＣＰＲＩ状態判定／ＣＰＲＩ選択制御部３０６に通知する（図８：ＳＱ１０１６）。ここでは、ＲＥＣ２００ＡからＣＰＲＩ信号を正常に受信できているので、ＣＰＲＩ回線状態検出部３１４は、「正常」を、ＣＰＲＩ状態をＣＰＲＩ状態判定／ＣＰＲＩ選択制御部３０６に通知する。
【００５１】
ＨＤＬＣ処理部３２６は、ＣＰＲＩ−ＨＤＬＣデータを、Ｌａｙｅｒ１処理部３１２に送信する（図８：ＳＱ１０２２）。
【００５２】
Ｌａｙｅｒ１処理部３１２は、ＣＰＲＩ信号を、ＲＥＣ２００Ａに送信する（図８：ＳＱ１０２４）。
【００５３】
さらに、ＲＥＣ２００Ａは、ＣＰＲＩ信号をＬａｙｅｒ１処理部３１２に送信する（図８：ＳＱ１０３０）。
【００５４】
Ｌａｙｅｒ１処理部３１２は、受信したＣＰＲＩ信号を、L1 Inband Protocol処理部３２８に送信する（図８：ＳＱ１０３２）。L1 Inband Protocol処理部３２８は、ＣＰＲＩ信号のBasic Frame structureに含まれるL1 Inband Protocolデータを抽出する。L1 Inband Protocolデータは、ベーシックフレームナンバー、回線状態情報を含む。
【００５５】
L1 Inband Protocol処理部３２８は、抽出したデータを基に、対向局回線の状態判定を行う（図８：ＳＱ１０３４）。ここで、対向局回線の状態とは、ＲＥ３００からＲＥＣ３００Ａに送信したＣＰＲＩ信号のＲＥＣ３００Ａでの受信状態のことである。ＣＰＲＩ信号のL1 Inband Protocol領域には、当該状態に関する情報を含む。L1 Inband Protocol処理部３２８は、対向局回線状態を、ＣＰＲＩ状態判定／ＣＰＲＩ選択制御部３０６に通知
する（図８：ＳＱ１０３６）。ここでは、L1 Inband Protocol処理部３２８は、「正常」を、ＣＰＲＩ状態判定／ＣＰＲＩ選択制御部３０６に通知する。
【００５６】
Ｌａｙｅｒ１処理部３１２は、受信したＣＰＲＩ信号を、Vender Specific処理部３２
４に送信する（図８：ＳＱ１０４２）。Vender Specific処理部３２４は、ＣＰＲＩ信号
のBasic Frame structureに含まれるVender Specificデータを抽出する。Vender Specificデータは、ベンダ固有の情報を含む。
【００５７】
Vender Specific処理部３２４は、Vender SpecificデータにＣＰＲＩ選択要求が含まれているか否かを確認する（ＳＱ１０４４）。ＣＰＲＩ選択要求は、ＣＰＲＩ−ＡのC & M Planeを使用することを選択することの要求である。Vender Specific処理部３２４は、ＣＰＲＩ選択要求を、ＣＰＲＩ状態判定／ＣＰＲＩ選択制御部３０６に通知する（図８：ＳＱ１０４６）。ここでは、Vender Specific処理部３２４は、「要求無」を、ＣＰＲＩ状
態判定／ＣＰＲＩ選択制御部３０６に通知する。
【００５８】
図１３は、ハイパーフレーム内のサブチャネルの例を示す図である。ＵＴＭＳ無線フレームは、複数のハイパーフレームからなる。ハイパーフレームは、６４のサブチャネルを構成する。サブチャネル毎に制御信号の種別が定められる。Vender Specific領域は、サ
ブチャネル１６からサブチャネルｐ−１までに割り当てられる。Vender Specific領域の
特定のアドレスに、ＣＰＲＩ選択要求の情報が含まれ得る。
【００５９】
Ｌａｙｅｒ１処理部３１２は、受信したＣＰＲＩ信号を、ＨＤＬＣ処理部３２６に送信する（図９：ＳＱ１０５２）。ＨＤＬＣ処理部３２６は、ＣＰＲＩ信号のBasic Frame structureに含まれるＨＤＬＣデータを抽出する。ＨＤＬＣデータは、監視、制御用のデー
タである。
【００６０】
ＨＤＬＣ処理部３２６は、ＨＤＬＣフレーム受信状態判定を行う（図９：ＳＱ１０５４）。ＨＤＬＣ処理部３２６は、ＨＤＬＣフレーム受信状態を、ＣＰＲＩ状態判定／ＣＰＲＩ選択制御部３０６に通知する（図９：ＳＱ１０５６）。ここでは、ＨＤＬＣ処理部３２６は、「正常」を、ＣＰＲＩ状態判定／ＣＰＲＩ選択制御部３０６に通知する。
【００６１】
また、ＲＥＣ２００Ｂは、ＣＰＲＩ信号をＣＰＲＩ−Ｂ処理部３１０のＬａｙｅｒ１処理部３４２に送信する（図９：ＳＱ１１１０）。
【００６２】
ＣＰＲＩ−Ｂ処理部３４０のＬａｙｅｒ１処理部３４２は、受信したＣＰＲＩ信号に対しＬａｙｅｒ１の処理を行う。Ｌａｙｅｒ１処理部３４２は、ＣＰＲＩ受信状態をＣＰＲＩ回線状態検出部３４４に通知する（図９：ＳＱ１１１２）。
【００６３】
ＣＰＲＩ回線状態検出部３４４は、Ｌａｙｅｒ１処理部３４２からの通知を基に、ＣＰＲＩ状態判定を行う（図９：ＳＱ１１１４）。ＣＰＲＩ回線状態検出部３４４は、ＣＰＲＩ状態をＣＰＲＩ状態判定／ＣＰＲＩ選択制御部３０６に通知する（図９：ＳＱ１１１６）。ここでは、ＲＥ３００はＲＥＣ２００ＢからＣＰＲＩ信号を正常に受信できているので、ＣＰＲＩ回線状態検出部３４４は、「正常」を、ＣＰＲＩ状態判定／ＣＰＲＩ選択制御部３０６に通知する。
【００６４】
ＨＤＬＣ処理部３５６は、ＣＰＲＩ−ＨＤＬＣデータを、Ｌａｙｅｒ１処理部３４２に送信する（図９：ＳＱ１１２２）。
【００６５】
Ｌａｙｅｒ１処理部３４２は、ＣＰＲＩ信号を、ＲＥＣ２００Ｂに送信する（図９：ＳＱ１１２４）。
【００６６】
さらに、ＲＥＣ２００Ｂは、ＣＰＲＩ信号をＬａｙｅｒ１処理部３４２に送信する（図９：ＳＱ１１３０）。
【００６７】
Ｌａｙｅｒ１処理部３４２は、受信したＣＰＲＩ信号を、L1 Inband Protocol処理部３５８に送信する（図９：ＳＱ１１３２）。L1 Inband Protocol処理部３５８は、ＣＰＲＩリンクのBasic Frame structureに含まれるL1 Inband Protocolデータを抽出する。
【００６８】
L1 Inband Protocol処理部３５８は、対向局回線の状態判定を行う（図９：ＳＱ１１３４）。L1 Inband Protocol処理部３５８は、対向局回線状態を、ＣＰＲＩ状態判定／ＣＰＲＩ選択制御部３０６に通知する（図９：ＳＱ１１３６）。ここでは、L1 Inband Protocol処理部３５８は、「正常」を、ＣＰＲＩ状態判定／ＣＰＲＩ選択制御部３０６に通知する。
【００６９】
Ｌａｙｅｒ１処理部３４２は、受信したＣＰＲＩ信号を、Vender Specific処理部３５
４に送信する（図１０：ＳＱ１１４２）。Vender Specific処理部３５４は、ＣＰＲＩ信
号のBasic Frame structureに含まれるVender Specificデータを抽出する。
【００７０】
Vender Specific処理部３５４は、Vender SpecificデータにＣＰＲＩ選択要求が含まれているか否かを確認する（図１０：ＳＱ１１４４）。Vender Specific処理部３５４は、
ＣＰＲＩ選択要求の有無を、ＣＰＲＩ状態判定／ＣＰＲＩ選択制御部３０６に通知する（図１０：ＳＱ１１４６）。ここでは、Vender Specific処理部３５４は、「要求無」を、
ＣＰＲＩ状態判定／ＣＰＲＩ選択制御部３０６に通知する。
【００７１】
Ｌａｙｅｒ１処理部３４２は、ＨＤＬＣ処理部３５６に、ＣＰＲＩ信号を送信する（図１０：ＳＱ１１５２）。ＨＤＬＣ処理部３５６は、ＣＰＲＩ信号のBasic Frame structureに含まれるＨＤＬＣデータを抽出する。ＨＤＬＣ処理部３５６は、ＨＤＬＣフレーム受
信状態判定を行う（図１０：ＳＱ１１５４）。ＨＤＬＣ処理部３５６は、ＨＤＬＣフレーム受信状態を、ＣＰＲＩ状態判定／ＣＰＲＩ選択制御部３０６に通知する（図１０：ＳＱ１１５６）。ここでは、ＨＤＬＣ処理部３５６は、「正常」を、ＣＰＲＩ状態判定／ＣＰＲＩ選択制御部３０６に通知する。
【００７２】
ＣＰＲＩ状態判定／ＣＰＲＩ選択制御部３０６は、得られた情報を基に、ＣＰＲＩ選択判定を行う（図１０：ＳＱ１２０２）。ここでは、ＣＰＲＩ状態判定／ＣＰＲＩ選択制御部３０６は、ＣＰＲＩ−Ａ（ＲＥ３００とＲＥＣ２００Ａとの間のＣＰＲＩ）を優先する旨の通知を受けており、かつ、ＣＰＲＩ−Ａの状態が正常である旨の通知を受けているため、ＣＰＲＩ−Ａを選択することを決定する。ＣＰＲＩ選択判定処理については、後に詳述する。ＣＰＲＩ状態判定／ＣＰＲＩ選択制御部３０６は、C & M Planeを使用するＣＰ
ＲＩとしてＣＰＲＩ−Ａを選択することを、ＣＰＲＩ選択部３０８に通知する（図１０：ＳＱ１２０４）。
【００７３】
ＣＰＲＩ選択部３０８は、選択したＣＰＲＩ−ＡのＣＰＲＩ−Ａ処理部３１０のVender
Specific処理部３２４、ＨＤＬＣ処理部３２６、および、L1 Inband Protocol処理部３
２８と、C & M Plane処理部３７０とを接続する（図１０：ＳＱ１２０６）。ここでは、C
& M Plane処理部３７０は、ＣＰＲＩ−Ａ処理部３１０のC & M Plane処理部として機能
する。これにより、ＲＥＣ２００ＡとＲＥ３００との間で監視・制御信号の接続が確立する。
【００７４】
状態監視部３０４は、無線機能部の障害検出処理を行う（図１１：ＳＱ１３０２）。状態検出部３０４は、自装置（ＲＥ３００）の状態を、各ＣＰＲＩについて、ＣＰＲＩ状態
判定／ＣＰＲＩ選択制御部３０６に通知する（図１１：ＳＱ１３０４）。ここでは、状態検出部３０４は、「正常」を、ＣＰＲＩ状態判定／ＣＰＲＩ選択制御部３０６に通知する。
【００７５】
ＣＰＲＩ状態判定／ＣＰＲＩ選択制御部３０６は、ＣＰＲＩ−Ａについてのユーザデータ受信可否通知を、Vender Specific処理部３２４に通知する（図１１：ＳＱ１３２２）
。ここでは、ＣＰＲＩ状態判定／ＣＰＲＩ選択制御部３０６は、「受信可」を、Vender Specific処理部３２４に通知する。Vender Specific処理部３２４は、ＣＰＲＩ状態判定／ＣＰＲＩ選択制御部３０６から通知された、ＣＰＲＩ−Ａについてのユーザデータ受信可否の情報をVender Specific領域の特定のアドレスに挿入する。Vender Specific処理部３２４は、Vender Specific領域の情報を、Ｌａｙｅｒ１処理部３１２に送信する（図１１
：ＳＱ１３２４）。Ｌａｙｅｒ１処理部３１２は、Vender Specific領域の情報を含むＣ
ＰＲＩ信号を、ＲＥＣ２００Ａに送信する（図１１：ＳＱ１３２６）。
【００７６】
また、同様に、ＣＰＲＩ状態判定／ＣＰＲＩ選択制御部３０６は、ＣＰＲＩ−Ｂについてのユーザデータ受信可否通知を、Vender Specific処理部３５４に通知する（図１１：
ＳＱ１３３２）。ここでは、ＣＰＲＩ状態判定／ＣＰＲＩ選択制御部３０６は、「受信可」を、Vender Specific処理部３５４に通知する。Vender Specific処理部３５４は、ＣＰＲＩ状態判定／ＣＰＲＩ選択制御部３０６から通知された、ＣＰＲＩ−Ｂについてのユーザデータ受信可否の情報をVender Specific領域の特定のアドレスに挿入する。Vender Specific処理部３５４は、Vender Specific領域の情報を、Ｌａｙｅｒ１処理部３４２に送
信する（図１１：ＳＱ１３３４）。Ｌａｙｅｒ１処理部３４２は、Vender Specific領域
の情報を含むＣＰＲＩ信号を、ＲＥＣ２００Ｂに送信する（図１１：ＳＱ１３３６）。
【００７７】
ＲＥＣ２００Ａ及びＲＥＣ２００Ｂは、ＲＥ３００からのユーザデータ受信可否情報に基づいてユーザデータの送信又は送信停止を行うことができる。一般的に、監視・制御信号の接続が確立しないＣＰＲＩリンクでは、通信を行わない。しかし、本実施形態では、ＲＥＣとＲＥ３００との間で監視・制御信号の接続が確立しないＣＰＲＩリンク（ここでは、ＣＰＲＩ−Ｂ）においても、ＲＥＣがＲＥ向けのユーザデータの送信を行うか否かの制御が可能となる。
【００７８】
ここまでが、ＲＥ３００の起動時のシーケンス例である。
【００７９】
次に、ＲＥ３００の運用時のシーケンス例について説明する。
【００８０】
ＲＥＣ２００Ａは、ＣＰＲＩ信号をＬａｙｅｒ１処理部３１２に送信する（図１２：ＳＱ１５１０）。Ｌａｙｅｒ１処理部３１２は、受信したＣＰＲＩ信号を、ＨＤＬＣ処理部３２６に送信する（図１２：ＳＱ１５１２）。ＨＤＬＣ処理部３２６は、ＣＰＲＩ信号のBasic Frame structureに含まれるＨＤＬＣデータを抽出する。ＨＤＬＣデータは、監視
、制御用のデータである。
【００８１】
ＨＤＬＣ処理部３２６は、ＨＤＬＣデータを、ＣＰＲＩ選択部３０８に送信する。ＨＤＬＣデータは、C & M信号を含む。ＣＰＲＩ選択部３０８は、ＣＰＲＩ−Ａ処理部３１０
のＨＤＬＣ処理部３２６から、信号を受信したことを確認する。ＣＰＲＩ選択部３０８は、受信したC & M信号（C & M Plane）を、C & M Plane処理部３７０に、送信する（図１
２：ＳＱ１５１４）。ＣＰＲＩ−Ａが、起動時の処理において、選択されたＣＰＲＩだからである。
【００８２】
C & M Plane処理部３７０は、C & M信号を処理し、C & M信号に対する応答のC & M信号を、ＣＰＲＩ選択部３０８に送信する。ＣＰＲＩ選択部３０８は、C & M Plane処理部３
７０から受信したC & M信号を、ＨＤＬＣ処理部３２６に送信する（図１２：ＳＱ１５２
０）。ＨＤＬＣ処理部３２６は、ＨＤＬＣ処理部３２６から受信したC & M信号を含むＨ
ＤＬＣデータを、Ｌａｙｅｒ１処理部３１２に送信する（図１２：ＳＱ１５２２）。Ｌａｙｅｒ１処理部３１２は、ＨＤＬＣデータを含むＣＰＲＩ信号を、ＲＥＣ２００Ａに送信する。
【００８３】
一方、ＲＥＣ２００Ｂは、ＣＰＲＩ信号をＬａｙｅｒ１処理部３４２に送信する（図１２：ＳＱ１５５０）。Ｌａｙｅｒ１処理部３４２は、受信したＣＰＲＩ信号を、ＨＤＬＣ処理部３５６に送信する（図１２：ＳＱ１５５２）。ＨＤＬＣ処理部３５６は、ＣＰＲＩ信号のBasic Frame structureに含まれるＨＤＬＣデータを抽出する。
【００８４】
ＨＤＬＣ処理部３２６は、ＨＤＬＣデータを、ＣＰＲＩ選択部３０８に送信する（図１２：ＳＱ１５５４）。ＨＤＬＣデータは、C & M信号を含む。ＣＰＲＩ選択部３０８は、
ＣＰＲＩ−Ｂ処理部３４０のＨＤＬＣ処理部３２６から、信号を受信したことを確認する。ＣＰＲＩ選択部３０８は、ＨＤＬＣ処理部３５６から受信した信号を、C & M Plane処
理部３７０に送信せず、破棄する（図１２：ＳＱ１５５６）。ＣＰＲＩ−Ｂが、起動時の処理において、選択されていないＣＰＲＩだからである。
【００８５】
換言すれば、ここでは、C & M Plane処理部３７０は、ＣＰＲＩ−Ａ処理部３１０にお
けるC & M Plane処理部として機能する。
【００８６】
これにより、ＲＥ３００は、選択したＣＰＲＩ−Ａの信号のC & M Plane（監視・制御
信号）のみを処理することとなる。一方、ＲＥ３００は、選択しなかったＣＰＲＩ−Ｂ（ＲＥ３００とＲＥＣ２００Ｂとの間のＣＰＲＩ）の信号のC & M Planeを処理しない。よ
って、監視装置１００からのＲＥ３００に対する監視・制御機能を損なうことなく、ＲＥ３００のＭＰＵの個数削減、ＭＰＵ処理性能の上昇防止、ソフトウェアを動作させるために必要なメモリ量の増加防止、をすることができる。従って、ＲＥ３００の小型化、軽量化、省電力化（低消費電力化）の妨げとなる要因が排除される。
【００８７】
《ＣＰＲＩ状態判定／ＣＰＲＩ選択制御部のＣＰＲＩ選択判定処理の動作フロー》
図１４乃至図１６は、ＣＰＲＩ状態判定／ＣＰＲＩ選択制御部のＣＰＲＩ選択判定処理の詳細動作フローを示す図である。図１４の「１」及び「２」は、それぞれ、図１６の「１」及び図１５の「２」に接続する。図１５の「３」及び「４」は、それぞれ、図１６の「３」及び「４」に接続する。
【００８８】
ＲＥ３００のＣＰＲＩ状態判定／ＣＰＲＩ選択制御部３０６は、ＣＰＲＩ選択判定処理を開始すると、優先するＣＰＲＩの初期設定値の判定を行う（図１４：Ｓ１０２）。初期設定値がＣＰＲＩ−Ｂの場合（Ｓ１０２；ＣＰＲＩ−Ｂ）、ステップＳ１２４（図１５）に進む。
【００８９】
初期設定値がＣＰＲＩ−Ａの場合（Ｓ１０２；ＣＰＲＩ−Ａ）、ＣＰＲＩ状態判定／ＣＰＲＩ選択制御部３０６は、ＣＰＲＩ−Ａの回線状態判定の結果を確認する（図１４：Ｓ１０４）。ＣＰＲＩ−Ａの回線状態が正常でない場合（Ｓ１０４；ＮＯ）、ＣＰＲＩ−Ａを使用できないため、ステップＳ１２４（図１５）に進む。
【００９０】
ＣＰＲＩ−Ａの回線状態が正常である場合（Ｓ１０４；ＹＥＳ）、ＣＰＲＩ状態判定／ＣＰＲＩ選択制御部３０６は、L1 Inband Protocol内の対向局回線状態判定の結果を確認する（Ｓ１０６）。ＣＰＲＩ−Ａの対向局回線状態が正常でない場合（Ｓ１０６；ＮＯ）、ステップＳ１２４（図１５）に進む。
【００９１】
ＣＰＲＩ−Ａの対向局回線状態が正常である場合（Ｓ１０６；ＹＥＳ）、ＣＰＲＩ状態判定／ＣＰＲＩ選択制御部３０６は、ＨＤＬＣフレーム受信状態判定の結果を確認する（Ｓ１０８）。ＣＰＲＩ−ＡのＨＤＬＣフレーム受信状態が正常でない場合（Ｓ１０８；ＮＯ）、ステップＳ１２４（図１５）に進む。
【００９２】
ＣＰＲＩ−ＡのＨＤＬＣフレーム受信状態が正常である場合（Ｓ１０８；ＹＥＳ）、ＣＰＲＩ状態判定／ＣＰＲＩ選択制御部３０６は、ＣＰＲＩ−Ａが正常であると判断し、その旨を設定する（Ｓ１１０）。
【００９３】
ＣＰＲＩ状態判定／ＣＰＲＩ選択制御部３０６は、使用するＣＰＲＩとしてＣＰＲＩ−Ａが要求されている否かを確認する（Ｓ１１２）。使用するＣＰＲＩとしてＣＰＲＩ−Ａが要求されていない場合（Ｓ１１２；ＮＯ）、ステップＳ１２４（図１５）に進む。
【００９４】
使用するＣＰＲＩとしてＣＰＲＩ−Ａが要求されている場合（Ｓ１１２；ＹＥＳ）、ＣＰＲＩ状態判定／ＣＰＲＩ選択制御部３０６は、ＣＰＲＩ−Ａの選択制御を行う（図１６：Ｓ１４２）。
【００９５】
ステップＳ１２４では、ＣＰＲＩ状態判定／ＣＰＲＩ選択制御部３０６は、ＣＰＲＩ−Ｂの回線状態判定の結果を確認する（図１５：Ｓ１２４）。ＣＰＲＩ−Ｂの回線状態が正常でない場合（Ｓ１２４；ＮＯ）、ＣＰＲＩ−Ｂを使用できないため、ステップＳ１３４に進む。
【００９６】
ＣＰＲＩ−Ｂの回線状態が正常である場合（Ｓ１２４；ＹＥＳ）、ＣＰＲＩ状態判定／ＣＰＲＩ選択制御部３０６は、L1 Inband Protocol内の対向局回線状態判定の結果を確認する（図１５：Ｓ１２６）。ＣＰＲＩ−Ｂの対向局回線状態が正常でない場合（Ｓ１２６；ＮＯ）、ステップＳ１３４に進む。
【００９７】
ＣＰＲＩ−Ｂの対向局回線状態が正常である場合（Ｓ１２６；ＹＥＳ）、ＣＰＲＩ状態判定／ＣＰＲＩ選択制御部３０６は、ＨＤＬＣフレーム受信状態判定の結果を確認する（図１５：Ｓ１２８）。ＣＰＲＩ−ＢのＨＤＬＣフレーム受信状態が正常でない場合（Ｓ１２８；ＮＯ）、ステップＳ１３４に進む。
【００９８】
ＣＰＲＩ−ＢのＨＤＬＣフレーム受信状態が正常である場合（Ｓ１２８；ＹＥＳ）、ＣＰＲＩ状態判定／ＣＰＲＩ選択制御部３０６は、使用するＣＰＲＩとしてＣＰＲＩ−Ｂが要求されている否かを確認する（Ｓ１３２）。使用するＣＰＲＩとしてＣＰＲＩ−Ｂが要求されていない場合（Ｓ１３２；ＮＯ）、ステップＳ１３４に進む。
【００９９】
使用するＣＰＲＩとしてＣＰＲＩ−Ｂが要求されている場合（Ｓ１３２；ＹＥＳ）、ＣＰＲＩ状態判定／ＣＰＲＩ選択制御部３０６は、ＣＰＲＩ−Ｂの選択制御を行う（図１６：Ｓ１４４）。
【０１００】
ステップＳ１３４では、ＣＰＲＩ状態判定／ＣＰＲＩ選択制御部３０６は、ＣＰＲＩ−Ａが正常であると設定されているか否かを確認する。
【０１０１】
ＣＰＲＩ−Ａが正常であると設定されている場合（Ｓ１３４；ＹＥＳ）、ＣＰＲＩ状態判定／ＣＰＲＩ選択制御部３０６は、ＣＰＲＩ−Ａの選択制御を行う（図１６：Ｓ１４２）。ＣＰＲＩ−Ａが正常であると設定されていない場合（Ｓ１３４；ＮＯ）、ＣＰＲＩ状態判定／ＣＰＲＩ選択制御部３０６は、ＣＰＲＩ−Ｂの選択制御を行う（図１６：Ｓ１４２）。
【０１０２】
状態監視部３０４は、ＣＰＲＩ−Ａ無線機能部の状態を監視する（Ｓ１５２）。状態監視部３０４がＣＰＲＩ−Ａ無線機能部の障害を検出した場合、状態監視部３０４はＣＰＲＩ状態判定／ＣＰＲＩ選択制御部３０６にＣＰＲＩ−Ａ無線機能部に障害が発生していることを通知する（Ｓ１５４）。
【０１０３】
また、状態監視部３０４は、ＣＰＲＩ−Ｂ無線機能部の状態を監視する（Ｓ１６２）。状態監視部３０４がＣＰＲＩ−Ｂ無線機能部の障害を検出した場合、状態監視部３０４はＣＰＲＩ状態判定／ＣＰＲＩ選択制御部３０６にＣＰＲＩ−Ｂ無線機能部に障害が発生していることを通知する（Ｓ１６４）。
【０１０４】
〈第２の動作例〉
ここでは、ＬＯＳ（Loss of Signal）検出の際の動作例について説明する。第２の動作例は、第１の動作例との共通点を有する。従って、主に、相違点について説明する。
【０１０５】
《概略》
図１７は、ＬＯＳ検出の際の動作の概略のシーケンス例を示す図である。
【０１０６】
ＲＥ３００の電源が投入される（ＳＱ２０２）と、ＲＥＣ２００Ａ及びＲＥＣ２００Ｂとの間でリンクの確立が試みられる。リンクの確立とは、レイヤにおける各プロトコルについて情報の送受信が可能になった状態をいう。
【０１０７】
ＲＥ３００は、ＲＥＣ２００Ａとの間でＬａｙｅｒ１リンクの確立に失敗する（ＳＱ２１２）と、ＬＯＳを検出する（ＳＱ２１４）。ＬＯＳは、ＲＥＣ２００ＡからＣＰＲＩ信号を受信できていないことを意味する。
【０１０８】
一方、ＲＥ３００は、ＲＥＣ２００Ｂとの間では、Ｌａｙｅｒ１リンクの確立（ＳＱ２２２）、Ｌａｙｅｒ２リンクの確立（ＳＱ２４２）に、成功したとする。
【０１０９】
ＲＥ３００は、ＣＰＲＩ選択処理を行う（ＳＱ２５４）。ここで、ＲＥ３００は、ＲＥＣ２００Ａとの間でリンクの確立に失敗し、ＬＯＳを検出しているので、C & M Planeを
使用するＣＰＲＩとしてＣＰＲＩ−Ｂを選択する。ＲＥ３００は、ＲＥＣ３００Ｂとの間で、Ｌａｙｅｒ３リンクを確立する（ＳＱ２８２）。
【０１１０】
これにより、ＲＥ３００のC & M Plane処理部３７０は、ＣＰＲＩ−Ｂ処理部３４０に
接続される。監視装置１００とＲＥ３００との間の監視・制御信号は、ＲＥＣ２００Ｂを介して、送受信される。
【０１１１】
《構成例》
図１８は、ＬＯＳ検出の際のＲＥの構成例を示す図である。
【０１１２】
ＲＥ３００のＣＰＲＩ回線状態検出部３１４は、ＲＥＣ２００ＡからのＣＰＲＩ信号を検出できないと、ＲＥＣ２００Ａからの信号がＬＯＳであるとして、ＣＰＲＩ状態判定／ＣＰＲＩ選択制御部３０６に、通知する。ＣＰＲＩ状態判定／ＣＰＲＩ選択制御部３０６は、ＣＰＲＩ選択処理の際に、当該情報を利用する。
【０１１３】
《動作シーケンス》
図１９乃至図２４は、ＬＯＳ検出の際のＲＥとＲＥＣとの間の動作シーケンスの例を示す図である。図１９のＡ１乃至Ｗ１は、図２０のＡ１乃至Ｗ１に接続する。図２０のＡ２乃至Ｗ２は、図２１のＡ２乃至Ｗ２に接続する。図２１のＡ３乃至Ｗ３は、図２２のＡ３乃至Ｗ３に接続する。図２２のＡ４乃至Ｗ４は、図２３のＡ４乃至Ｗ４に接続する。図２
３のＡ５乃至Ｗ５は、図２４のＡ５乃至Ｗ５に接続する。
【０１１４】
最初に、ＬＯＳ検出の際のＲＥ３００の起動時のシーケンス例について説明する。
【０１１５】
ＲＥ３００の電源が投入される（図１９：ＳＱ２００２）と、初期設定値保持部３０２は、優先度情報を、ＣＰＲＩ状態判定／ＣＰＲＩ選択制御部３０６に通知する（図１９：ＳＱ２００４）。ここでは、初期設定値保持部３０２は、ＣＰＲＩ−Ａ（ＲＥ３００とＲＥＣ２００Ａとの間のＣＰＲＩ）を優先するとして、ＣＰＲＩ状態判定／ＣＰＲＩ選択制御部３０６に通知している。
【０１１６】
ＲＥＣ２００Ａは、ＣＰＲＩ信号をＣＰＲＩ−Ａ処理部３１０のＬａｙｅｒ１処理部３１２に送信する（図２０：ＳＱ２０１０）。
【０１１７】
しかし、ＲＥＣ２００ＡとＲＥ３００との間で何らかの障害が発生したことにより、ＲＥＣ２００Ａが送信したＣＰＲＩ信号を、ＲＥ３００が受信できなかったとする。
【０１１８】
ＣＰＲＩ−Ａ処理部３１０のＬａｙｅｒ１処理部３１２は、ＣＰＲＩ信号を受信できていない旨（ＣＰＲＩ受信状態）を、ＣＰＲＩ回線状態検出部３１４に通知する（図２０：ＳＱ２０１２）。
【０１１９】
ＣＰＲＩ回線状態検出部３１４は、Ｌａｙｅｒ１処理部３１２からの通知を基に、ＣＰＲＩ状態判定を行う（図２０：ＳＱ２０１４）。ＣＰＲＩ回線状態検出部３１４は、ＣＰＲＩ状態をＣＰＲＩ状態判定／ＣＰＲＩ選択制御部３０６に通知する（図２０：ＳＱ２０１６）。ここでは、ＲＥＣ２００ＡからＣＰＲＩ信号を受信できていない（ＬＯＳ）ので、ＣＰＲＩ回線状態検出部３１４は、「ＬＯＳ（Loss of Signal）」を、ＣＰＲＩ状態をＣＰＲＩ状態判定／ＣＰＲＩ選択制御部３０６に通知する。
【０１２０】
ＣＰＲＩ−Ａ処理部３１０は、ＣＰＲＩ−ＡのＬＯＳ検出により、処理を停止する。ＲＥ３００がＲＥＣ２００Ａから信号を受信できていないからである。
【０１２１】
図２１のＳＱ２１１０乃至図２２のＳＱ２１５６の動作は、第１の動作例のＳＱ１１１０乃至ＳＱ１１５６の動作と同様である。
【０１２２】
ＣＰＲＩ状態判定／ＣＰＲＩ選択制御部３０６は、得られた情報を基に、ＣＰＲＩ選択判定を行う（図２２：ＳＱ２２０２）。ここでは、ＣＰＲＩ状態判定／ＣＰＲＩ選択制御部３０６は、起動時に、ＣＰＲＩ−Ａ（ＲＥ３００とＲＥＣ２００Ａとの間のＣＰＲＩ）を優先する旨の通知を受けているが、ＣＰＲＩ−Ａの状態がＬＯＳである旨の通知を受けているため、ＣＰＲＩ−Ａを選択することはできない。一方、ＣＰＲＩ状態判定／ＣＰＲＩ選択制御部３０６は、ＣＰＲＩ−Ｂの状態が正常である旨の通知を受けているので、ＣＰＲＩ−Ｂを選択することを決定する。ＣＰＲＩ状態判定／ＣＰＲＩ選択制御部３０６は、C & M Planeを使用するＣＰＲＩとしてＣＰＲＩ−Ｂを選択することを、ＣＰＲＩ選択
部３０８に通知する（図２２：ＳＱ２２０４）。
【０１２３】
ＣＰＲＩ選択部３０８は、選択したＣＰＲＩ−ＢのＣＰＲＩ−Ｂ処理部３４０のVender
Specific処理部３５４、ＨＤＬＣ処理部３５６、および、L1 Inband Protocol処理部３
５８と、C & M Plane処理部３７０とを接続する（図２２：ＳＱ２２０６）。ここでは、C
& M Plane処理部３７０は、ＣＰＲＩ−Ｂ処理部３４０のC & M Plane処理部として機能
する。
【０１２４】
状態監視部３０４は、無線機能部の障害検出処理を行う（図２３：ＳＱ２３０２）。状
態検出部３０４は、自装置（ＲＥ３００）の状態を、各ＣＰＲＩについて、ＣＰＲＩ状態判定／ＣＰＲＩ選択制御部３０６に通知する（図２３：ＳＱ２３０４）。ここでは、状態検出部３０４は、「正常」を、ＣＰＲＩ状態判定／ＣＰＲＩ選択制御部３０６に通知する。
【０１２５】
図２３のＳＱ２３２２乃至ＳＱ２３３６の動作は、第１の動作例のＳＱ１３２２乃至ＳＱ１３３の動作と同様である。
【０１２６】
ここまでが、ＬＯＳ検出の際のＲＥ３００の起動時のシーケンス例である。
【０１２７】
次に、ＬＯＳ検出の際のＲＥ３００の運用時のシーケンス例について説明する。
【０１２８】
ＲＥＣ２００Ｂは、ＣＰＲＩ信号をＬａｙｅｒ１処理部３４２に送信する（図２４：ＳＱ２５５０）。Ｌａｙｅｒ１処理部３４２は、受信したＣＰＲＩ信号を、ＨＤＬＣ処理部３５６に送信する（図１２：ＳＱ２５５２）。ＨＤＬＣ処理部３５６は、ＣＰＲＩ信号のBasic Frame structureに含まれるＨＤＬＣデータを抽出する。ＨＤＬＣデータは、監視
、制御用のデータである。
【０１２９】
ＨＤＬＣ処理部３５６は、ＨＤＬＣデータを、ＣＰＲＩ選択部３０８に送信する。ＨＤＬＣデータは、C & M信号を含む。ＣＰＲＩ選択部３０８は、ＣＰＲＩ−Ｂ処理部３４０
のＨＤＬＣ処理部３５６から、信号を受信したことを確認する。ＣＰＲＩ選択部３０８は、受信したC & M信号（C & M Plane）を、C & M Plane処理部３７０に、送信する（図２
４：ＳＱ２５５４）。ＣＰＲＩ−Ｂが、起動時の処理において、選択されたＣＰＲＩだからである。
【０１３０】
C & M Plane処理部３７０は、C & M信号を処理し、C & M信号に対する応答のC & M信号を、ＣＰＲＩ選択部３０８に送信する。ＣＰＲＩ選択部３０８は、C & M Plane処理部３
７０から受信したC & M信号を、ＨＤＬＣ処理部３５６に送信する（図２４：ＳＱ２５６
０）。ＨＤＬＣ処理部３５６は、ＨＤＬＣ処理部３５６から受信したC & M信号を含むＨ
ＤＬＣデータを、Ｌａｙｅｒ１処理部３４２に送信する（図２４：ＳＱ２５６２）。Ｌａｙｅｒ１処理部３４２は、ＨＤＬＣデータを含むＣＰＲＩ信号を、ＲＥＣ２００Ｂに送信する。
【０１３１】
ここでは、C & M Plane処理部３７０は、ＣＰＲＩ−Ｂ処理部３４０におけるC & M Plane処理部として機能する。これにより、ＲＥ３００は、選択したＣＰＲＩ−Ｂの信号のC & M Plane（監視・制御信号）のみを処理することとなる。
【０１３２】
ＲＥ３００は、ＣＰＲＩ回線状態検出結果を利用して、受信状態の良いＣＰＲＩのC & M Planeを選択することができる。監視装置１００は、ＲＥ３００側で受信状態の良いＣ
ＰＲＩを経由して、ＲＥ３００と監視・制御信号の送受信を行うことができる。
【０１３３】
〈第３の動作例〉
ここでは、ＬＯＦ（Loss of Frame）検出の際の動作例について説明する。第３の動作
例は、第１の動作例、第２の動作例との共通点を有する。従って、主に、相違点について説明する。
【０１３４】
《概略》
図２５は、ＬＯＦ検出の際の動作の概略のシーケンス例を示す図である。
【０１３５】
ＲＥ３００の電源が投入される（ＳＱ３０２）と、ＲＥＣ２００Ａ及びＲＥＣ２００Ｂ
との間でリンクの確立が試みられる。
【０１３６】
ＲＥ３００は、ＲＥＣ２００Ａとの間で、Ｌａｙｅｒ１リンクを確立（ＳＱ３１２）し、Ｌａｙｅｒ１リンクを確立する（ＳＱ３２２）。
【０１３７】
一方、ＲＥ３００は、ＲＥＣ２００Ｂとの間で、Ｌａｙｅｒ１リンクを確立（ＳＱ３２２）したが、Ｌａｙｅｒ２リンクの確立に、失敗したとする（ＳＱ３４２）。
【０１３８】
ＲＥＣ２００Ｂは、ＲＥ３００からＣＰＲＩ信号を正常に受信できない場合、ＣＰＲＩのL1 Inband Protocol領域の「Reset／アラーム」情報にＣＰＲＩ回線警報を含めて、Ｒ
Ｅ３００に送信する。ＣＰＲＩ回線警報は、ＬＯＦ（Loss of Frame）の情報を含む。Ｌ
ＯＦは、ＲＥ３００が送信したＣＰＲＩ信号がＲＥＣに正常に届いていないことを意味する。ＣＰＲＩ回線情報により、ＲＥ３００は、自身がＲＥＣ２００Ｂに対して送信したＣＰＲＩ信号がＲＥＣに正常に届いているか否かを確認することができる。
【０１３９】
ＲＥ３００は、L1 Inband Protocol領域の「Reset／アラーム」情報のＣＰＲＩ回線警
報にＬＯＦが記載されていることを確認することにより、ＬＯＦを検出する。つまり、ＲＥ３００は、ＲＥＣ２００ＢとのＬａｙｅｒ２リンクの確立に失敗したことを認識する。
【０１４０】
ＲＥ３００は、ＣＰＲＩ選択処理を行う（ＳＱ３５４）。ここで、ＲＥ３００は、ＲＥＣ２００Ｂとの間でＬａｙｅｒ２リンクの確立に失敗しているので、C & M Planeを使用
するＣＰＲＩとしてＣＰＲＩ−Ａを選択する。ＲＥ３００は、ＲＥＣ３００Ａとの間で、Ｌａｙｅｒ３リンクを確立する（ＳＱ３７２）。
【０１４１】
これにより、ＲＥ３００のC & M Plane処理部３７０は、ＣＰＲＩ−Ａ処理部３１０に
接続される。監視装置１００とＲＥ３００との間の監視・制御信号は、ＲＥＣ２００Ａを介して、送受信される。
【０１４２】
《構成例》
図２６は、ＬＯＦ検出の際のＲＥの構成例を示す図である。
【０１４３】
ＲＥ３００のL1 Inband Protocol処理部３５８は、ＲＥＣ２００ＢからのＣＰＲＩ信号のL1 Inband Protocol領域の「Reset／アラーム」情報にＬＯＦが記載されていることを
検出すると、ＲＥＣ２００ＢへのＣＰＲＩ信号がＬＯＦであるとして、ＣＰＲＩ状態判定／ＣＰＲＩ選択制御部３０６に、通知する。ＣＰＲＩ状態判定／ＣＰＲＩ選択制御部３０６は、ＣＰＲＩ選択処理の際に、当該情報を利用する。
【０１４４】
《動作シーケンス》
図２７乃至図３２は、ＬＯＦ検出の際のＲＥとＲＥＣとの間の動作シーケンスの例を示す図である。図２７のＡ１乃至Ｗ１は、図２８のＡ１乃至Ｗ１に接続する。図２８のＡ２乃至Ｗ２は、図２９のＡ２乃至Ｗ２に接続する。図２９のＡ３乃至Ｗ３は、図３０のＡ３乃至Ｗ３に接続する。図３０のＡ４乃至Ｗ４は、図３１のＡ４乃至Ｗ４に接続する。図３１のＡ５乃至Ｗ５は、図３２のＡ５乃至Ｗ５に接続する。
【０１４５】
最初に、ＬＯＦ検出の際のＲＥ３００の起動時におけるシーケンス例について説明する。
【０１４６】
図２７のＳＱ３００２乃至図２９のＳＱ３０５６の動作は、第１の動作例のＳＱ１００２乃至ＳＱ１０５６の動作と同様である。
【０１４７】
ＲＥＣ２００Ｂは、ＣＰＲＩ信号をＣＰＲＩ−Ｂ処理部３１０のＬａｙｅｒ１処理部３４２に送信する（図２９：ＳＱ３１１０）。
【０１４８】
ＣＰＲＩ−Ｂ処理部３４０のＬａｙｅｒ１処理部３４２は、受信したＣＰＲＩ信号に対しＬａｙｅｒ１の処理を行う。Ｌａｙｅｒ１処理部３４２は、ＣＰＲＩ受信状態をＣＰＲＩ回線状態検出部３４４に通知する（図２９：ＳＱ３１１２）。
【０１４９】
ＣＰＲＩ回線状態検出部３４４は、Ｌａｙｅｒ１処理部３４２からの通知を基に、ＣＰＲＩ状態判定を行う（図２９：ＳＱ３１１４）。ＣＰＲＩ回線状態検出部３４４は、ＣＰＲＩ状態をＣＰＲＩ状態判定／ＣＰＲＩ選択制御部３０６に通知する（図２９：ＳＱ３１１６）。ここでは、ＲＥ３００はＲＥＣ２００ＢからＣＰＲＩ信号を正常に受信できているので、ＣＰＲＩ回線状態検出部３４４は、「正常」を、ＣＰＲＩ状態判定／ＣＰＲＩ選択制御部３０６に通知する。
【０１５０】
ＨＤＬＣ処理部３５６は、ＣＰＲＩ−ＨＤＬＣデータを、Ｌａｙｅｒ１処理部３４２に送信する（図２９：ＳＱ３１２２）。
【０１５１】
Ｌａｙｅｒ１処理部３４２は、ＣＰＲＩ信号を、ＲＥＣ２００Ｂに送信する（図２９：ＳＱ３１２４）。
【０１５２】
さらに、ＲＥＣ２００Ｂは、ＣＰＲＩ信号をＬａｙｅｒ１処理部３４２に送信する（図２９：ＳＱ３１３０）。
【０１５３】
Ｌａｙｅｒ１処理部３４２は、受信したＣＰＲＩ信号を、L1 Inband Protocol処理部３５８に送信する（図２９：ＳＱ３１３２）。L1 Inband Protocol処理部３５８は、ＣＰＲＩリンクのBasic Frame structureに含まれるL1 Inband Protocolデータを抽出する。
【０１５４】
L1 Inband Protocol処理部３５８は、対向局回線の状態判定を行う（図２９：ＳＱ３１３４）。L1 Inband Protocol処理部３５８は、対向局回線状態を、ＣＰＲＩ状態判定／ＣＰＲＩ選択制御部３０６に通知する（図２９：ＳＱ３１３６）。ここでは、L1 Inband Protocol領域の「Reset／アラーム」情報にＬＯＦ（Loss of Frame）が含まれているとする。当該ＬＯＦは、ＲＥ３００が送信したＣＰＲＩ信号がＲＥＣ２００Ｂに正常に届いていないことを意味する。L1 Inband Protocol処理部３５８は、「ＬＯＦ」を、ＣＰＲＩ状態判定／ＣＰＲＩ選択制御部３０６に通知する。
【０１５５】
Ｌａｙｅｒ１処理部３４２は、受信したＣＰＲＩ信号を、Vender Specific処理部３５
４に送信する（図３０：ＳＱ３１４２）。Vender Specific処理部３５４は、ＣＰＲＩ信
号のBasic Frame structureに含まれるVender Specificデータを抽出する。
【０１５６】
Vender Specific処理部３５４は、Vender SpecificデータにＣＰＲＩ選択要求が含まれているか否かを確認する（図３０：ＳＱ３１４４）。Vender Specific処理部３５４は、
ＣＰＲＩ選択要求の有無を、ＣＰＲＩ状態判定／ＣＰＲＩ選択制御部３０６に通知する（図３０：ＳＱ３１４６）。ここでは、Vender Specific処理部３５４は、「要求無」を、
ＣＰＲＩ状態判定／ＣＰＲＩ選択制御部３０６に通知する。
【０１５７】
Ｌａｙｅｒ１処理部３４２は、ＨＤＬＣ処理部３５６に、ＣＰＲＩ信号を送信する（図３０：ＳＱ３１５２）。ＨＤＬＣ処理部３５６は、ＣＰＲＩ信号のBasic Frame structureに含まれるＨＤＬＣデータを抽出する。ＨＤＬＣ処理部３５６は、ＨＤＬＣフレーム受
信状態判定を行う（図３０：ＳＱ３１５４）。ＨＤＬＣ処理部３５６は、ＨＤＬＣフレーム受信状態を、ＣＰＲＩ状態判定／ＣＰＲＩ選択制御部３０６に通知する（図３０：ＳＱ
３１５６）。ここでは、ＨＤＬＣ処理部３５６は、「正常」を、ＣＰＲＩ状態判定／ＣＰＲＩ選択制御部３０６に通知する。
【０１５８】
ＣＰＲＩ状態判定／ＣＰＲＩ選択制御部３０６は、得られた情報を基に、ＣＰＲＩ選択判定を行う（図３０：ＳＱ３２０２）。ここでは、ＣＰＲＩ状態判定／ＣＰＲＩ選択制御部３０６は、ＣＰＲＩ−Ａ（ＲＥ３００とＲＥＣ２００Ａとの間のＣＰＲＩ）を優先する旨の通知を受けており、かつ、ＣＰＲＩ−Ａの状態が正常である旨の通知を受けているため、ＣＰＲＩ−Ａを選択することを決定する。ＣＰＲＩ状態判定／ＣＰＲＩ選択制御部３０６は、C & M Planeを使用するＣＰＲＩとしてＣＰＲＩ−Ａを選択することを、ＣＰＲ
Ｉ選択部３０８に通知する（図３０：ＳＱ３２０４）。
【０１５９】
ＣＰＲＩ選択部３０８は、選択したＣＰＲＩ−ＡのＣＰＲＩ−Ａ処理部３１０のVender
Specific処理部３２４、ＨＤＬＣ処理部３２６、および、L1 Inband Protocol処理部３
２８と、C & M Plane処理部３７０とを接続する（図３０：ＳＱ３２０６）。ここでは、C
& M Plane処理部３７０は、ＣＰＲＩ−Ａ処理部３１０のC & M Plane処理部として機能
する。
【０１６０】
状態監視部３０４は、無線機能部の障害検出処理を行う（図３１：ＳＱ３３０２）。状態検出部３０４は、自装置（ＲＥ３００）の状態を、各ＣＰＲＩについて、ＣＰＲＩ状態判定／ＣＰＲＩ選択制御部３０６に通知する（図３１：ＳＱ３３０４）。ここでは、状態検出部３０４は、「正常」を、ＣＰＲＩ状態判定／ＣＰＲＩ選択制御部３０６に通知する。
【０１６１】
図３１のＳＱ３３２２乃至ＳＱ３３３６の動作は、第１の動作例のＳＱ１３２２乃至ＳＱ１３３の動作と同様である。
【０１６２】
ここまでが、ＲＥ３００の起動時のシーケンス例である。
【０１６３】
ＲＥ３００の運用時のシーケンス（図３２：ＳＱ３５１０乃至ＳＱ３５５６）は、第１の動作例のＳＱ１５１０乃至ＳＱ１５５６と同様である。
【０１６４】
ＲＥ３００は、受信したＣＰＲＩ信号のL1 Inband Protocol領域の「Reset／アラーム
」情報に含まれるＣＰＲＩ回線警報を抽出することで、自装置が送信したＣＰＲＩ信号がＲＥＣに正常に届いているかを検出することができる。ＲＥ３００は、ＣＰＲＩ回線警報（ＬＯＦ等）の抽出結果を利用して、ＲＥＣでの受信状態の良いＣＰＲＩのC & M Plane
を選択することができる。監視装置１００は、ＲＥＣ側で受信状態の良いＣＰＲＩを経由して、ＲＥ３００と監視・制御信号の送受信を行うことができる。
【０１６５】
〈第４の動作例〉
ここでは、ＣＰＲＩ選択要求を利用した際の動作例について説明する。第４の動作例は、第１の動作例、第２の動作例、第３の動作例との共通点を有する。従って、主に、相違点について説明する。
【０１６６】
《概略》
図３３は、ＣＰＲＩ選択要求を利用した際の動作の概略のシーケンス例を示す図である。
【０１６７】
ＲＥ３００の電源が投入される（ＳＱ４０２）と、ＲＥＣ２００Ａ及びＲＥＣ２００Ｂとの間でリンクの確立が試みられる。
【０１６８】
ＲＥ３００は、ＲＥＣ２００Ａとの間で、Ｌａｙｅｒ１リンクを確立（ＳＱ４１２）し、Ｌａｙｅｒ１リンクを確立する（ＳＱ４３２）。
【０１６９】
また、ＲＥ３００は、ＲＥＣ２００Ｂとの間で、Ｌａｙｅｒ１リンクを確立（ＳＱ４２２）し、Ｌａｙｅｒ２リンクの確立に、失敗したとする（ＳＱ４４２）。
【０１７０】
ここで、ＲＥＣ２００ＡからのＣＰＲＩ信号のVender Specific領域には、「ＣＰＲＩ
選択要求」が含まれていたとする。ＲＥＣ２００ＡからのＣＰＲＩ選択要求は、ＣＰＲＩ−ＡのC & M Planeを使用することを選択することの要求である。Vender Specific領域は、Ｌａｙｅｒ２リンクが確立した時点でＲＥＣとＲＥとの間で送受信が可能である。
【０１７１】
ＲＥ３００は、ＲＥＣ２００ＡからのＣＰＲＩ信号に含まれるＣＰＲＩ選択要求を検出する（ＳＱ４５２）。
【０１７２】
ＲＥ３００は、ＣＰＲＩ選択処理を行う（ＳＱ４５４）。ここで、ＲＥ３００は、ＲＥＣ２００ＡからのＣＰＲＩ選択要求を検出しているので、C & M Planeを使用するＣＰＲ
ＩとしてＣＰＲＩ−Ａを選択する。ＲＥ３００は、ＲＥＣ３００Ａとの間で、Ｌａｙｅｒ３リンクを確立する（ＳＱ４７２）。
【０１７３】
これにより、ＲＥ３００のC & M Plane処理部３７０は、ＣＰＲＩ−Ａ処理部３１０に
接続される。監視装置１００とＲＥ３００との間の監視・制御信号は、ＲＥＣ２００Ａを介して、送受信される。
【０１７４】
《構成例》
図３４は、ＣＰＲＩ選択要求を利用した際のＲＥの構成例を示す図である。
【０１７５】
ＲＥ３００のVender Specific処理部３２４は、ＲＥＣ２００Ａからの「ＣＰＲＩ選択
要求」を検出すると、ＲＥＣ２００からのＣＰＲＩ選択の「要求有」として、ＣＰＲＩ状態判定／ＣＰＲＩ選択制御部３０６に、通知する。ＣＰＲＩ状態判定／ＣＰＲＩ選択制御部３０６は、ＣＰＲＩ選択処理の際に、当該情報を利用する。
【０１７６】
《動作シーケンス》
図３５乃至図４０は、ＲＥとＲＥＣとの間の正常起動時の動作シーケンスの例を示す図である。図３５のＡ１乃至Ｗ１は、図３６のＡ１乃至Ｗ１に接続する。図３６のＡ２乃至Ｗ２は、図３７のＡ２乃至Ｗ２に接続する。図３７のＡ３乃至Ｗ３は、図３８のＡ３乃至Ｗ３に接続する。図３８のＡ４乃至Ｗ４は、図３９のＡ４乃至Ｗ４に接続する。図３９のＡ５乃至Ｗ５は、図４０のＡ５乃至Ｗ５に接続する。
【０１７７】
最初に、ＲＥ３００の起動時におけるシーケンス例について説明する。
【０１７８】
ＲＥ３００の電源が投入される（図３５：ＳＱ４００２）と、初期設定値保持部３０２は、優先度情報を、ＣＰＲＩ状態判定／ＣＰＲＩ選択制御部３０６に通知する（図３５：ＳＱ４００４）。ここでは、初期設定値保持部３０２は、ＣＰＲＩ−Ａ（ＲＥ３００とＲＥＣ２００Ａとの間のＣＰＲＩ）を優先するとして、ＣＰＲＩ状態判定／ＣＰＲＩ選択制御部３０６に通知している。
【０１７９】
ＲＥＣ２００Ａは、ＣＰＲＩ信号をＣＰＲＩ−Ａ処理部３１０のＬａｙｅｒ１処理部３１２に送信する（図３６：ＳＱ４０１０）。
【０１８０】
ＣＰＲＩ−Ａ処理部３１０のＬａｙｅｒ１処理部３１２は、ＣＰＲＩリンクの物理層（
Ｌａｙｅｒ１）の終端処理を行う。Ｌａｙｅｒ１処理部３１２は、ＣＰＲＩ受信状態をＣＰＲＩ回線状態検出部３１４に通知する（図３６：ＳＱ４０１２）。
【０１８１】
ＣＰＲＩ回線状態検出部３１４は、Ｌａｙｅｒ１処理部３１２からの通知を基に、ＣＰＲＩ状態判定を行う（図３６：ＳＱ４０１４）。ＣＰＲＩ回線状態検出部３１４は、ＣＰＲＩ状態をＣＰＲＩ状態判定／ＣＰＲＩ選択制御部３０６に通知する（図３６：ＳＱ４０１６）。ここでは、ＲＥＣ２００ＡからＣＰＲＩ信号を正常に受信できているので、ＣＰＲＩ回線状態検出部３１４は、「正常」を、ＣＰＲＩ状態をＣＰＲＩ状態判定／ＣＰＲＩ選択制御部３０６に通知する。
【０１８２】
ＨＤＬＣ処理部３２６は、ＣＰＲＩ−ＨＤＬＣデータを、Ｌａｙｅｒ１処理部３１２に送信する（図３６：ＳＱ４０２２）。
【０１８３】
Ｌａｙｅｒ１処理部３１２は、ＣＰＲＩ信号を、ＲＥＣ２００Ａに送信する（図３６：ＳＱ４０２４）。
【０１８４】
さらに、ＲＥＣ２００Ａは、ＣＰＲＩ信号をＬａｙｅｒ１処理部３１２に送信する（図３６：ＳＱ４０３０）。
【０１８５】
Ｌａｙｅｒ１処理部３１２は、受信したＣＰＲＩ信号を、L1 Inband Protocol処理部３２８に送信する（図３６：ＳＱ４０３２）。L1 Inband Protocol処理部３２８は、ＣＰＲＩ信号のBasic Frame structureに含まれるL1 Inband Protocolデータを抽出する。
【０１８６】
L1 Inband Protocol処理部３２８は、抽出したデータを基に、対向局回線の状態判定を行う（図３６：ＳＱ４０３４）。ＣＰＲＩ信号のL1 Inband Protocol領域には、当該状態に関する情報を含む。L1 Inband Protocol処理部３２８は、対向局回線状態を、ＣＰＲＩ状態判定／ＣＰＲＩ選択制御部３０６に通知する（図３６：ＳＱ４０３６）。ここでは、L1 Inband Protocol処理部３２８は、「正常」を、ＣＰＲＩ状態判定／ＣＰＲＩ選択制御部３０６に通知する。
【０１８７】
Ｌａｙｅｒ１処理部３１２は、受信したＣＰＲＩ信号を、Vender Specific処理部３２
４に送信する（図３６：ＳＱ４０４２）。Vender Specific処理部３２４は、ＣＰＲＩ信
号のBasic Frame structureに含まれるVender Specificデータを抽出する。
【０１８８】
Vender Specific処理部３２４は、Vender SpecificデータにＣＰＲＩ選択要求が含まれているか否かを確認する（ＳＱ４０４４）。ＣＰＲＩ選択要求は、ＣＰＲＩ−ＡのC & M Planeを使用することを選択することの要求である。ＣＰＲＩ選択要求は、Vender Specific領域の特定のアドレスに挿入され得る。Vender Specific処理部３２４は、ＣＰＲＩ選
択要求を、ＣＰＲＩ状態判定／ＣＰＲＩ選択制御部３０６に通知する（図３６：ＳＱ４０４６）。ここでは、Vender Specific処理部３２４は、「要求有」を、ＣＰＲＩ状態判定
／ＣＰＲＩ選択制御部３０６に通知する。
【０１８９】
Ｌａｙｅｒ１処理部３１２は、受信したＣＰＲＩ信号を、ＨＤＬＣ処理部３２６に送信する（図３７：ＳＱ４０５２）。ＨＤＬＣ処理部３２６は、ＣＰＲＩ信号のBasic Frame structureに含まれるＨＤＬＣデータを抽出する。ＨＤＬＣデータは、監視、制御用のデ
ータである。
【０１９０】
ＨＤＬＣ処理部３２６は、ＨＤＬＣフレーム受信状態判定を行う（図３７：ＳＱ４０５４）。ＨＤＬＣ処理部３２６は、ＨＤＬＣフレーム受信状態を、ＣＰＲＩ状態判定／ＣＰＲＩ選択制御部３０６に通知する（図３７：ＳＱ４０５６）。ここでは、ＨＤＬＣ処理部
３２６は、「正常」を、ＣＰＲＩ状態判定／ＣＰＲＩ選択制御部３０６に通知する。
【０１９１】
図３７のＳＱ４１１０乃至図３８のＳＱ４１５６の動作は、第１の動作例のＳＱ１１１０乃至ＳＱ１１５６の動作と同様である。
【０１９２】
ＣＰＲＩ状態判定／ＣＰＲＩ選択制御部３０６は、得られた情報を基に、ＣＰＲＩ選択判定を行う（図３８：ＳＱ４２０２）。ここでは、ＣＰＲＩ状態判定／ＣＰＲＩ選択制御部３０６は、ＣＰＲＩ−Ａ（ＲＥ３００とＲＥＣ２００Ａとの間のＣＰＲＩ）を優先する旨の通知を受けており、ＣＰＲＩ−Ａの状態が正常である旨の通知を受けており、さらに、ＣＰＲＩ−ＡのＣＰＲＩ選択要求が「要求有」であるため、ＣＰＲＩ−Ａを選択することを決定する。ＣＰＲＩ状態判定／ＣＰＲＩ選択制御部３０６は、C & M Planeを使用す
るＣＰＲＩとしてＣＰＲＩ−Ａを選択することを、ＣＰＲＩ選択部３０８に通知する（図３８：ＳＱ４２０４）。
【０１９３】
ＣＰＲＩ選択部３０８は、選択したＣＰＲＩ−ＡのＣＰＲＩ−Ａ処理部３１０のVender
Specific処理部３２４、ＨＤＬＣ処理部３２６、および、L1 Inband Protocol処理部３
２８と、C & M Plane処理部３７０とを接続する（図３８：ＳＱ４２０６）。ここでは、C
& M Plane処理部３７０は、ＣＰＲＩ−Ａ処理部３１０のC & M Plane処理部として機能
する。
【０１９４】
状態監視部３０４は、無線機能部の障害検出処理を行う（図３９：ＳＱ４３０２）。状態検出部３０４は、自装置（ＲＥ３００）の状態を、各ＣＰＲＩについて、ＣＰＲＩ状態判定／ＣＰＲＩ選択制御部３０６に通知する（図３９：ＳＱ４３０４）。ここでは、状態検出部３０４は、「正常」を、ＣＰＲＩ状態判定／ＣＰＲＩ選択制御部３０６に通知する。
【０１９５】
図３９のＳＱ４３２２乃至ＳＱ４３３６の動作は、第１の動作例のＳＱ１３２２乃至ＳＱ１３３の動作と同様である。
【０１９６】
ここまでが、ＣＰＲＩ選択要求を利用した際のＲＥ３００の起動時のシーケンス例である。
【０１９７】
ＲＥ３００の運用時のシーケンス（図４０：ＳＱ４５１０乃至ＳＱ４５５６）は、第１の動作例のＳＱ１５１０乃至ＳＱ１５５６と同様である。
【０１９８】
ＲＥＣがＣＰＲＩ信号のVender Specific領域にＣＰＲＩ選択要求を示す情報を挿入し
てＲＥすることで、ＲＥＣからＣＰＲＩの選択要求を行うことができる。また、Vender Specific領域にＣＰＲＩ選択要求を示す情報を挿入することで、Ｌａｙｅｒ２リンクが確
立した時点で、ＲＥがＣＰＲＩ選択処理を行うことができる。
【０１９９】
〈第５の動作例〉
ここでは、初期設定値保持部に優先度情報を格納する際の動作例について説明する。第５の動作例は、第１の動作例、第２の動作例、第３の動作例、第４の動作例との共通点を有する。従って、主に、相違点について説明する。
【０２００】
《概略》
図４１は、初期設定値保持部に優先度情報を格納する際の動作の概略のシーケンス例を示す図である。
【０２０１】
ＲＥ３００の電源が投入される（ＳＱ５０２）と、初期設定保持部３０２から優先度情
報が読み込まれる（ＳＱ５０４）。ここでは、優先度１がＣＰＲＩ−Ａ、優先度２がＣＰＲＩ−Ｂであるとする。
【０２０２】
また、ＲＥＣ２００Ａ及びＲＥＣ２００Ｂとの間でリンクの確立が試みられる。
【０２０３】
ＲＥ３００は、ＲＥＣ２００Ａとの間で、Ｌａｙｅｒ１リンクを確立（ＳＱ５１２）し、Ｌａｙｅｒ２リンクを確立する（ＳＱ５３２）。
【０２０４】
また、ＲＥ３００は、ＲＥＣ２００Ｂとの間で、Ｌａｙｅｒ１リンクを確立（ＳＱ５２２）し、Ｌａｙｅｒ２リンクを確立する（ＳＱ５４２）。
【０２０５】
ＲＥ３００は、ＣＰＲＩ選択処理を行う（ＳＱ５５４）。ここで、ＲＥ３００は、ＲＥＣ２００Ａとの間、ＲＥＣ２００Ｂとの間でリンクが確立しているが、ＣＰＲＩ−Ａの優先度が高いので、C & M Planeを使用するＣＰＲＩとしてＣＰＲＩ−Ａを選択する。ＲＥ
３００は、ＲＥＣ３００Ａとの間で、Ｌａｙｅｒ３リンクを確立する（ＳＱ５７２）。
【０２０６】
これにより、ＲＥ３００のC & M Plane処理部３７０は、ＣＰＲＩ−Ａ処理部３１０に
接続される。監視装置１００とＲＥ３００との間の監視・制御信号は、ＲＥＣ２００Ａを介して、送受信される。
【０２０７】
《構成例》
図４２は、初期設定値保持部に優先度情報を格納する際のＲＥの構成例を示す図である。
【０２０８】
ＲＥ３００の初期設定保持部３０２は、優先度情報として、優先度１がＣＰＲＩ−Ａ、優先度２がＣＰＲＩ−Ｂを格納する。ＣＰＲＩ状態判定／ＣＰＲＩ選択制御部３０６は、ＣＰＲＩ選択処理の際、初期設定保持部３０２から優先度情報を読み出して、当該情報を利用することができる。
【０２０９】
ＲＥ３００は、初期設定値保持部３０２に優先度情報を保持することで、ＣＰＲＩのＬａｙｅｒ２リンクの確立までの状態において、使用するＣＰＲＩを決定することができる。
【０２１０】
〈第６の動作例〉
ここでは、Vender specific領域の特定アドレスにユーザデータの受信可能／不可能の
状態を示す情報を挿入する際の動作例を説明する。第６の動作例は、第１の動作例、第２の動作例、第３の動作例、第４の動作例、第５の動作例との共通点を有する。従って、主に、相違点について説明する。
【０２１１】
通常、ＲＥＣはＲＥの障害等を検出した場合に、ＲＥＣからＲＥへのユーザデータの送信を停止する。ＲＥＣは、C & M Planeの信号でＲＥの障害等の情報を受信することによ
って、ＲＥの障害等の状態を検出している。しかし、本実施形態においては、C & M Planeを使用しないＣＰＲＩが発生するため、C & M PlaneによらずにＲＥＣでのＲＥの状態を検出することが望ましい。
【０２１２】
《概略》
図４３は、Vender specific領域の特定アドレスにユーザデータの受信可能／不可能の
状態を示す情報を挿入する際の動作の概略のシーケンス例を示す図である。
【０２１３】
ＲＥ３００の電源が投入される（ＳＱ６０２）と、ＲＥＣ２００Ａ及びＲＥＣ２００Ｂ
との間でリンクの確立が試みられる。
【０２１４】
ＲＥ３００は、ＲＥＣ２００Ａとの間で、Ｌａｙｅｒ１リンクを確立（ＳＱ６１２）し、Ｌａｙｅｒ２リンクを確立する（ＳＱ６３２）。
【０２１５】
また、ＲＥ３００は、ＲＥＣ２００Ｂとの間で、Ｌａｙｅｒ１リンクを確立（ＳＱ６２２）し、Ｌａｙｅｒ２リンクを確立する（ＳＱ６４２）。
【０２１６】
ＲＥ３００は、ＣＰＲＩ選択処理を行う（ＳＱ６５４）。ここで、ＲＥ３００は、ＲＥＣ２００Ａとの間、ＲＥＣ２００Ｂとの間でリンクが確立しているが、C & M Planeを使
用するＣＰＲＩとしてＣＰＲＩ−Ａを選択するとする。ＲＥ３００は、ＲＥＣ３００Ａとの間で、Ｌａｙｅｒ３リンクを確立する（ＳＱ６７２）。
【０２１７】
これにより、ＲＥ３００のC & M Plane処理部３７０は、ＣＰＲＩ−Ａ処理部３１０に
接続される。監視装置１００とＲＥ３００との間の監視・制御信号は、ＲＥＣ２００Ａを介して、送受信される。
【０２１８】
ＲＥ３００の状態監視部３０４が、ＣＰＲＩ−Ｂ無線機能部に障害を検出したとする（ＳＱ６９２）。ＲＥ３００は、Vender Specific領域を使用して、ユーザデータ受信不可
の通知をＲＥＣ２００Ｂに対して行う（ＳＱ６９４）。ＲＥＣ２００Ｂは、ＲＥ３００に対するユーザデータの送信を停止する。
【０２１９】
ＲＥＣとＲＥとの間で、監視・制御信号の接続が確立していないＣＰＲＩリンクであっても、ＲＥＣがＲＥ向けのユーザデータを送信するか否かの制御が可能となる。
【０２２０】
《構成例》
図４４は、Vender specific領域の特定アドレスにユーザデータの受信可能／不可能の
状態を示す情報を挿入する際のＲＥの構成例を示す図である。
【０２２１】
ＲＥ３００の状態監視部３０４は、ＣＰＲＩ−Ｂ無線機能部の障害を検出すると、ＣＰＲＩ状態判定／ＣＰＲＩ選択制御部３０６に通知する。ＣＰＲＩ状態判定／ＣＰＲＩ選択制御部３０６は、ＣＰＲＩ−Ｂについてのユーザデータ受信不可通知を、Vender Specific処理部３５４に通知する。Vender Specific処理部３５４は、Vender Specific領域に、
ユーザデータ受信不可の情報を記載する。当該情報を含むＣＰＲＩ信号がＲＥＣ２００Ｂに送信される。
【０２２２】
ＲＥＣ２００Ｂは、Vender Specific領域に記載されたユーザデータ受信不可の情報を
受信することができる。
【０２２３】
《動作シーケンス》
図４５乃至図５０は、受信可否情報を挿入する際のＲＥとＲＥＣとの間の動作シーケンスの例を示す図である。図４５のＡ１乃至Ｗ１は、図４６のＡ１乃至Ｗ１に接続する。図４６のＡ２乃至Ｗ２は、図４７のＡ２乃至Ｗ２に接続する。図４７のＡ３乃至Ｗ３は、図４９のＡ３乃至Ｗ３に接続する。図４９のＡ４乃至Ｗ４は、図４９のＡ４乃至Ｗ４に接続する。図４９のＡ５乃至Ｗ５は、図５０のＡ５乃至Ｗ５に接続する。
【０２２４】
最初に、ＲＥ３００の起動時におけるシーケンス例について説明する。
【０２２５】
図４５のＳＱ６００２乃至図４８のＳＱ６２０６の動作は、第１の動作例のＳＱ１００２乃至ＳＱ１２０６の動作と同様である。
【０２２６】
状態監視部３０４は、無線機能部の障害検出処理を行う（図４９：ＳＱ６３０２）。状態検出部３０４は、自装置（ＲＥ３００）の状態を、各ＣＰＲＩについて、ＣＰＲＩ状態判定／ＣＰＲＩ選択制御部３０６に通知する（図４９：ＳＱ６３０４）。ここでは、状態検出部３０４は、「ＣＰＲＩ−Ｂ無線機能部障害」を、ＣＰＲＩ状態判定／ＣＰＲＩ選択制御部３０６に通知する。この状態では、ＲＥ３００は、ＲＥＣ２００ＢからのデータをＭＳ４００Ｂに送信することができない。
【０２２７】
ＣＰＲＩ状態判定／ＣＰＲＩ選択制御部３０６は、ＣＰＲＩ−Ａについてのユーザデータ受信可否通知を、Vender Specific処理部３２４に通知する（図４９：ＳＱ６３２２）
。ここでは、ＣＰＲＩ状態判定／ＣＰＲＩ選択制御部３０６は、「受信可」を、Vender Specific処理部３２４に通知する。Vender Specific処理部３２４は、ＣＰＲＩ状態判定／ＣＰＲＩ選択制御部３０６から通知された、ＣＰＲＩ−Ａについてのユーザデータ受信可否の情報をVender Specific領域の特定のアドレスに挿入する。Vender Specific処理部３２４は、Vender Specific領域の情報を、Ｌａｙｅｒ１処理部３１２に送信する（図４９
：ＳＱ６３２４）。Ｌａｙｅｒ１処理部３１２は、Vender Specific領域の情報を含むＣ
ＰＲＩ信号を、ＲＥＣ２００Ａに送信する（図４９：ＳＱ６３２６）。
【０２２８】
一方、ＣＰＲＩ状態判定／ＣＰＲＩ選択制御部３０６は、ＣＰＲＩ−Ｂについてのユーザデータ受信可否通知を、Vender Specific処理部３５４に通知する（図４９：ＳＱ６３
３２）。ここでは、ＣＰＲＩ状態判定／ＣＰＲＩ選択制御部３０６は、「受信不可」を、Vender Specific処理部３５４に通知する。状態監視部３０４から、「ＣＰＲＩ−Ｂ無線
機能部障害」との通知を受けているからである。Vender Specific処理部３５４は、ＣＰ
ＲＩ状態判定／ＣＰＲＩ選択制御部３０６から通知された、ＣＰＲＩ−Ｂについてのユーザデータ受信可否の情報をVender Specific領域の特定のアドレスに挿入する。Vender Specific処理部３５４は、Vender Specific領域の情報を、Ｌａｙｅｒ１処理部３４２に送
信する（図４９：ＳＱ６３３４）。Ｌａｙｅｒ１処理部３４２は、Vender Specific領域
の情報を含むＣＰＲＩ信号を、ＲＥＣ２００Ｂに送信する（図４９：ＳＱ６３３６）。
【０２２９】
ＲＥＣ２００Ｂは、ＲＥ３００から受信したＣＰＲＩ信号に基づいて、ＲＥ３００へのユーザデータの送信を停止する（図４９：ＳＱ６３４０）。
【０２３０】
選択されなかったＣＰＲＩ（ここではＣＰＲＩ−Ｂ）については、ユーザデータ受信可否通知により「受信可」をＲＥＣがＲＥから受けた後に、ＲＥＣがＲＥにユーザデータを送信するという構成にしてもよい。
【０２３１】
ここまでが、ＲＥ３００の起動時のシーケンス例である。
【０２３２】
ＲＥ３００の運用時のシーケンス（図５０：ＳＱ６５１０乃至ＳＱ６５５６）は、第１の動作例のＳＱ１５１０乃至ＳＱ１５５６と同様である。
【０２３３】
ＲＥ３００は、自装置の障害状態に基づいて、ＣＰＲＩ信号のVender Specific領域の
特定アドレスに、ユーザデータの受信可否の状態を示す情報を挿入して、ＲＥＣに送信することができる。ＲＥＣは、ＲＥ３００からの情報に基づいて、ユーザデータの送信／送信停止を行うことで、ＲＥとＲＥＣとの間で監視・制御信号の接続が確立しないＣＰＲＩリンクでも、ＲＥＣがＲＥに対するユーザデータの送信を行うか否かの制御ができる。
【図面の簡単な説明】
【０２３４】
【図１】図１は、無線制御部（ＲＥＣ）と無線部（ＲＥ）とが離れた場所に設置される無線基地局の例を示す図である。
【図２】図２は、複数の無線制御部が１台の無線部に接続される例を示す図である。
【図３】図３は、ＣＰＲＩのプロトコルスタックの例を示す図である。
【図４】図４は、複数のＣＰＲＩを収容するＲＥのブロックの例を示す図である。
【図５】図５は、システム構成例を示す図である。
【図６】図６は、ＲＥの構成例を示す図である。
【図７】図７は、ＲＥとＲＥＣとの間の正常起動時の動作シーケンスの例（１）を示す図である。
【図８】図８は、ＲＥとＲＥＣとの間の正常起動時の動作シーケンスの例（２）を示す図である。
【図９】図９は、ＲＥとＲＥＣとの間の正常起動時の動作シーケンスの例（３）を示す図である。
【図１０】図１０は、ＲＥとＲＥＣとの間の正常起動時の動作シーケンスの例（４）を示す図である。
【図１１】図１１は、ＲＥとＲＥＣとの間の正常起動時の動作シーケンスの例（５）を示す図である。
【図１２】図１２は、ＲＥとＲＥＣとの間の正常起動時の動作シーケンスの例（６）を示す図である。
【図１３】図１３は、ハイパーフレーム内のサブチャネルの例を示す図である。
【図１４】図１４は、ＣＰＲＩ状態判定／ＣＰＲＩ選択制御部のＣＰＲＩ選択判定処理の詳細動作フロー（１）を示す図である。
【図１５】図１５は、ＣＰＲＩ状態判定／ＣＰＲＩ選択制御部のＣＰＲＩ選択判定処理の詳細動作フロー（２）を示す図である。
【図１６】図１６は、ＣＰＲＩ状態判定／ＣＰＲＩ選択制御部のＣＰＲＩ選択判定処理の詳細動作フロー（３）を示す図である。
【図１７】図１７は、ＬＯＳ検出の際の動作の概略のシーケンス例を示す図である。
【図１８】図１８は、ＬＯＳ検出の際のＲＥの構成例を示す図である。
【図１９】図１９は、ＬＯＳ検出の際のＲＥとＲＥＣとの間の動作シーケンスの例（１）を示す図である。
【図２０】図２０は、ＬＯＳ検出の際のＲＥとＲＥＣとの間の動作シーケンスの例（２）を示す図である。
【図２１】図２１は、ＬＯＳ検出の際のＲＥとＲＥＣとの間の動作シーケンスの例（３）を示す図である。
【図２２】図２２は、ＬＯＳ検出の際のＲＥとＲＥＣとの間の動作シーケンスの例（４）を示す図である。
【図２３】図２３は、ＬＯＳ検出の際のＲＥとＲＥＣとの間の動作シーケンスの例（５）を示す図である。
【図２４】図２４は、ＬＯＳ検出の際のＲＥとＲＥＣとの間の動作シーケンスの例（６）を示す図である。
【図２５】図２５は、ＬＯＦ検出の際の動作の概略のシーケンス例を示す図である。
【図２６】図２６は、ＬＯＦ検出の際のＲＥの構成例を示す図である。
【図２７】図２７は、ＬＯＦ検出の際のＲＥとＲＥＣとの間の動作シーケンスの例（１）を示す図である。
【図２８】図２８は、ＬＯＦ検出の際のＲＥとＲＥＣとの間の動作シーケンスの例（２）を示す図である。
【図２９】図２９は、ＬＯＦ検出の際のＲＥとＲＥＣとの間の動作シーケンスの例（３）を示す図である。
【図３０】図３０は、ＬＯＦ検出の際のＲＥとＲＥＣとの間の動作シーケンスの例（４）を示す図である。
【図３１】図３１は、ＬＯＦ検出の際のＲＥとＲＥＣとの間の動作シーケンスの例（５）を示す図である。
【図３２】図３２は、ＬＯＦ検出の際のＲＥとＲＥＣとの間の動作シーケンスの例（６）を示す図である。
【図３３】図３３は、ＣＰＲＩ選択要求を利用した際の動作の概略のシーケンス例を示す図である。
【図３４】図３４は、ＣＰＲＩ選択要求を利用した際のＲＥの構成例を示す図である。
【図３５】図３５は、ＣＰＲＩ選択要求を利用した際のＲＥとＲＥＣとの間の動作シーケンスの例（１）を示す図である。
【図３６】図３５は、ＣＰＲＩ選択要求を利用した際のＲＥとＲＥＣとの間の動作シーケンスの例（２）を示す図である。
【図３７】図３５は、ＣＰＲＩ選択要求を利用した際のＲＥとＲＥＣとの間の動作シーケンスの例（３）を示す図である。
【図３８】図３５は、ＣＰＲＩ選択要求を利用した際のＲＥとＲＥＣとの間の動作シーケンスの例（４）を示す図である。
【図３９】図３５は、ＣＰＲＩ選択要求を利用した際のＲＥとＲＥＣとの間の動作シーケンスの例（５）を示す図である。
【図４０】図３５は、ＣＰＲＩ選択要求を利用した際のＲＥとＲＥＣとの間の動作シーケンスの例（６）を示す図である。
【図４１】図４１は、初期設定値保持部に優先度情報を格納する際の動作の概略のシーケンス例を示す図である。
【図４２】図４２は、初期設定値保持部に優先度情報を格納する際のＲＥの構成例を示す図である。
【図４３】図４３は、Vender specific領域の特定アドレスにユーザデータの受信可能／不可能の状態を示す情報を挿入する際の動作の概略のシーケンス例を示す図である。
【図４４】図４４は、Vender specific領域の特定アドレスにユーザデータの受信可能／不可能の状態を示す情報を挿入する際のＲＥの構成例を示す図である。
【図４５】図４５は、受信可否情報を挿入する際のＲＥとＲＥＣとの間の動作シーケンスの例（１）を示す図である。
【図４６】図４６は、受信可否情報を挿入する際のＲＥとＲＥＣとの間の動作シーケンスの例（２）を示す図である。
【図４７】図４７は、受信可否情報を挿入する際のＲＥとＲＥＣとの間の動作シーケンスの例（３）を示す図である。
【図４８】図４８は、受信可否情報を挿入する際のＲＥとＲＥＣとの間の動作シーケンスの例（４）を示す図である。
【図４９】図４９は、受信可否情報を挿入する際のＲＥとＲＥＣとの間の動作シーケンスの例（５）を示す図である。
【図５０】図５０は、受信可否情報を挿入する際のＲＥとＲＥＣとの間の動作シーケンスの例（６）を示す図である。
【符号の説明】
【０２３５】
１００      監視装置
２００Ａ    通信方式ＡのＲＥＣ
２００Ｂ    通信方式ＢのＲＥＣ
３００      ＲＥ
３０２        ＣＰＲＩ状態判定／ＣＰＲＩ選択制御部
３０４        状態監視部
３０６        ＣＰＲＩ選択部
３０８        初期設定値保持部
３１０        ＣＰＲＩ処理部Ａ
３１２          Ｌａｙｅｒ１処理部
３１４          ＣＰＲＩ回線状態検出部
３２２          IQ Data処理部
３２４          Vender Specific処理部
３２６          ＨＤＬＣ処理部
３２８          L1 Inband Protocol処理部
３３２          User Plane処理部
３３４          ＳＹＮＣ処理部
３４０        ＣＰＲＩ処理部Ｂ
３４２          Ｌａｙｅｒ１処理部
３４４          ＣＰＲＩ回線状態検出部
３５２          IQ Data処理部
３５４          Vender Specific処理部
３５６          ＨＤＬＣ処理部
３５８          L1 Inband Protocol処理部
３６２          User Plane処理部
３６４          ＳＹＮＣ処理部
３７０        C & M Plane処理部
４００Ａ    通信方式ＡのＭＳ
４００Ｂ    通信方式ＢのＭＳ
【図１】
2010074594.tif 000003
【図２】
2010074594.tif 000004
【図３】
2010074594.tif 000005
【図４】
2010074594.tif 000006
【図５】
2010074594.tif 000007
【図６】
2010074594.tif 000008
【図７】
2010074594.tif 000009
【図８】
2010074594.tif 000010
【図９】
2010074594.tif 000011
【図１０】
2010074594.tif 000012
【図１１】
2010074594.tif 000013
【図１２】
2010074594.tif 000014
【図１３】
2010074594.tif 000015
【図１４】
2010074594.tif 000016
【図１５】
2010074594.tif 000017
【図１６】
2010074594.tif 000018
【図１７】
2010074594.tif 000019
【図１８】
2010074594.tif 000020
【図１９】
2010074594.tif 000021
【図２０】
2010074594.tif 000022
【図２１】
2010074594.tif 000023
【図２２】
2010074594.tif 000024
【図２３】
2010074594.tif 000025
【図２４】
2010074594.tif 000026
【図２５】
2010074594.tif 000027
【図２６】
2010074594.tif 000028
【図２７】
2010074594.tif 000029
【図２８】
2010074594.tif 000030
【図２９】
2010074594.tif 000031
【図３０】
2010074594.tif 000032
【図３１】
2010074594.tif 000033
【図３２】
2010074594.tif 000034
【図３３】
2010074594.tif 000035
【図３４】
2010074594.tif 000036
【図３５】
2010074594.tif 000037
【図３６】
2010074594.tif 000038
【図３７】
2010074594.tif 000039
【図３８】
2010074594.tif 000040
【図３９】
2010074594.tif 000041
【図４０】
2010074594.tif 000042
【図４１】
2010074594.tif 000043
【図４２】
2010074594.tif 000044
【図４３】
2010074594.tif 000045
【図４４】
2010074594.tif 000046
【図４５】
2010074594.tif 000047
【図４６】
2010074594.tif 000048
【図４７】
2010074594.tif 000049
【図４８】
2010074594.tif 000050
【図４９】
2010074594.tif 000051
【図５０】
2010074594.tif 000052